(57)【要約】【課題】  発光色の現像剤を用いて画像形成された媒体で、発光色の画像が発光していない状態でも発光色の画像に基づく情報を観者に識別されてしまうことを抑制する。【解決手段】  本発明は、媒体に画像形成を行う画像形成装置に関する。そして本発明の画像形成装置は、画像形成データから第１の画像データと、画像形成する際に付加する付加情報と、画像形成する媒体の仕上げ方法の情報を抽出し、付加情報に基づく第２の画像を複数の分解画像に分解し、媒体を仕上げ方法の情報に基づいて仕上げた場合に分解画像が組み合わさって付加情報の判読が可能となるような分解画像の配置を決定し、第１の画像データに基づく画像を通常色の現像剤で画像形成し、それぞれの分解画像を決定された配置位置に発光色の現像剤を用いて画像形成することを特徴とする。【選択図】      図１
2017085490.tif 000002
【特許請求の範囲】
【請求項１】
画像形成データに基づいて媒体に画像形成を行う画像形成装置において、
前記画像形成データから、媒体に画像形成する画像を示す第１の画像データを取得する第１の画像データ取得手段と、
前記画像形成データから、前記第１の画像データに基づく画像を媒体に画像形成する際に付加する付加情報と、媒体に画像形成する際の仕上げ方法の情報を抽出するデータ抽出手段と、
前記付加情報に基づく第２の画像を、複数の分解画像に分解する分解手段と、
前記第１の画像データに基づく画像が画像形成された媒体を、前記仕上げ方法の情報に基づいて仕上げた場合に、前記分解画像が組み合わさって前記付加情報が判読可能となるようにそれぞれの前記分解画像の配置位置を決定する配置位置決定手段と、
媒体に前記第１の画像データに基づく画像を通常色の現像剤で画像形成し、それぞれの前記分解画像を前記媒体の前記配置位置決定手段により決定された配置位置に発光色の現像剤を用いて画像形成する画像形成手段と
を有することを特徴とする画像形成装置。
【請求項２】
前記分解手段は、前記第２の画像を、前記付加情報の判読が不能となる粒度に分解して前記分解画像を取得し、
前記配置位置決定手段は、前記第１の画像データに基づく画像が画像形成された媒体を、前記仕上げ方法の情報に基づいて仕上げた場合に、前記分解画像が組み合わさって前記付加情報が判読可能となるように前記分解画像の配置位置を決定する
ことを特徴とする請求項１に記載の画像形成装置。
【請求項３】
前記仕上げ方法の情報の仕上げ方法として、少なくとも、標準、折り曲げ、袋とじ、ｎ枚綴りのうち１つ以上が設定であることを特徴とする請求項１又は２に記載の画像形成装置。
【請求項４】
前記配置位置決定手段は、前記複数の分解画像を媒体の複数の画像形成面に分散して配置することを特徴とする請求項１〜３のいずれかに記載の画像形成装置。
【請求項５】
前記配置位置決定手段は、前記複数の分解画像を、媒体の表裏に分散した配置位置決定方法、複数の媒体に分散した配置位置決定方法、媒体を折り曲げた状態を考慮した配置位置決定方法のいずれか１つ又は複数の配置位置決定方法を組み合わせて、前記複数の分解画像の配置位置を決定することを特徴とする請求項４に記載の画像形成装置。
【請求項６】
媒体に画像形成する画像を示す第１の画像データを保持する第１の画像データ保持手段と、
前記第１の画像データに基づく画像を媒体に画像形成する際に付加する付加情報と、媒体に画像形成する際の仕上げ方法の情報を取得する情報取得手段と、
前記第１の画像データと、前記付加情報と、前記仕上げ方法の情報とを結合した画像形成データを画像形成装置に送信する送信手段と
を有することを特徴とする情報処理装置。
【請求項７】
請求項１〜５のいずれかに記載の画像形成装置と、請求項６に記載の情報処理装置とを有することを特徴とする画像形成システム。
【請求項８】
所定の光を照射すると発光する発光色の現像剤を用いた発光色画像と、発光色以外の通常色の現像剤を用いた通常色画像とを含む画像形成データを保持する画像形成データ保持手段と、
前記画像形成データ保持手段が保持した画像形成データに基づいて媒体に画像形成を行って前記所定の光を照射した場合に現れる画像をプレビュー画像として生成するプレビュー画像作成部と、
前記プレビュー画像を表示出力して、前記プレビュー画像中の一部の領域の選択を受付ける領域選択手段と、
前記画像形成データに対して、前記領域選択手段で選択を受付けた選択領域における各色の現像剤の濃度調整を行い、前記画像形成データに基づいて媒体に画像形成を行って前記所定の光を照射した場合に発生する発光色画像の裏写りを調整する裏写り調整手段と、
前記裏写り調整手段により調整された後の前記画像形成データに基づいて、媒体に画像形成を行う画像形成手段と
を有することを特徴とする画像形成装置。
【請求項９】
前記領域選択手段は、表示出力した前記プレビュー画像上に生成した矩形領域内の領域を選択領域として受付けることを特徴とする請求項８に記載された画像形成装置。
【請求項１０】
前記裏写り調整手段は、前記画像形成手段で用いられる媒体と、前記発光色の現像剤の濃度と、前記通常色の現像剤の濃度との組み合わせに基づいて、裏写りの発生の有無を判定可能な裏写り判定情報を用い、前記画像形成データに基づいて媒体に画像形成した場合に裏写りが発生する領域を示す裏写りデータを作成し、
前記領域選択手段は、前記裏写りデータに基づき、前記プレビュー画像を、媒体の表面にだけ発光色画像が配置された第１の種類の領域と、媒体の裏面に裏写りしない発光色画像が配置された第２の種類の領域と、媒体の裏面に裏写りする発光画像が配置された第３の種類の領域とを区別可能な形式で表示する
ことを特徴とする請求項９に記載の画像形成装置。
【請求項１１】
前記領域選択手段は、前記矩形領域内に複数種類の領域が混在する場合に、前記矩形領域内のいずれか１種類の領域を選択可能とすることを特徴とする請求項１０記載の画像形成装置。
【請求項１２】
前記領域選択手段は、前記画像形成データに基づいて媒体に画像形成した場合に裏写りが発生する場合にのみ、前記プレビュー画像を表示出力して、前記プレビュー画像中の一部の領域の選択を受付けることを特徴とする請求項８〜１１いずれかに記載の画像形成装置。
【請求項１３】
前記裏写り調整手段は、前記選択領域を裏写りが発生する状態から裏写りが発生しない状態とする場合、媒体の裏面における発光色画像の現像剤の濃度を下げる調整を行うことを特徴する請求項８〜１２のいずれかに記載の画像形成装置。
【請求項１４】
前記裏写り調整手段は、前記選択領域を裏写りが発生する状態から裏写りが発生しない状態とする場合、少なくとも媒体の表面又は裏面の一方における通常色画像の現像剤の濃度を上げる調整を行うことを特徴する請求項８〜１２のいずれか記載の画像形成装置。
【請求項１５】
前記裏写り調整手段は、前記選択領域を裏写りが発生しない状態から裏写りが発生する状態とする場合、媒体の裏面における発光色画像の現像剤の濃度を上げる調整を行うことを特徴する請求項８〜１２のいずれか記載の画像形成装置。
【請求項１６】
前記裏写り調整手段は、前記選択領域を裏写りが発生しない状態から裏写りが発生する状態とする場合、少なくとも媒体の表面又は裏面の一方における通常色画像の現像剤の濃度を下げる調整を行うことを特徴する請求項８〜１２のいずれか記載の画像形成装置。
【請求項１７】
前記裏写り調整手段は、現像剤の色ごとに濃度調整処理を行う優先順位が定義された優先順位データを保持し、前記優先順位データに従った順序で、現像剤の色ごとの濃度調整を行うことを特徴とする請求項８〜１６のいずれか記載の画像形成装置。
【請求項１８】
前記裏写り調整手段は、現像剤の色ごとに濃度調整可能な範囲が定義された制限データを保持し、前記制限データで定義された範囲内で現像剤の色ごとの濃度調整を行うことを特徴とする請求項１７に記載の画像形成装置。
【請求項１９】
前記画像形成データ保持手段が保持する前記画像形成データには、裏写りする発光色画像の有無を示す情報が含まれている場合があり、
前記領域選択手段は、前記画像形成データに裏写りする発光色画像が有る旨の情報が含まれていた場合には、前記プレビュー画像を表示出力して、前記プレビュー画像中の一部の領域の選択を受付けることを特徴とする請求項１０に記載の画像形成装置。
【請求項２０】
前記画像形成データ保持手段が保持する前記画像形成データには、裏写りする発光色画像の位置情報が含まれている場合があり、
前記領域選択手段は、前記画像形成データに裏写りする発光色画像の位置情報が含まれており、さらに前記位置情報と裏写りデータとが一致しない場合に、前記プレビュー画像を表示出力して、前記プレビュー画像中の一部の領域の選択を受付けることを特徴とする請求項１０に記載の画像形成装置。
【発明の詳細な説明】
【技術分野】
【０００１】
この発明は、画像形成装置、情報処理装置及び画像形成システムに関し、例えば、発光トナー（発光色の現像剤）を用いて画像形成を行うことができる画像形成装置に適用し得る。
【背景技術】
【０００２】
従来、発光トナーを用いて印刷（画像形成）を行うことができる画像形成装置が存在する。
【０００３】
発光トナーとしては、例えば、紫外光（ＵＶ）等の所定の光を照射すると、蛍光（可視光）を発するＵＶトナー（蛍光トナー）がある。従来のＵＶトナーを用いて印刷用紙に印刷することができる画像形成装置としては、例えば、特許文献１に記載の装置がある。
【０００４】
例えば、従来、複合機などの画像処理装置を用いてより付加価値の高い画像形成を行う手法の一つとして、ＵＶトナー（可視光のもとでは見えないが、ブラックライト等から発せられる紫外光のもとでのみ見える現像剤）を用いて印刷することで、媒体に印刷する画像にプロパティ情報（例えば、偽造防止のシリアル番号や生成する画像の作成者名、作成日付、変更履歴等の印刷物に付加する情報）を付加する方法が提案されている。
【先行技術文献】
【特許文献】
【０００５】
【特許文献１】特開２００７−８３６３４号公報
【発明の概要】
【発明が解決しようとする課題】
【０００６】
しかしながら、従来の画像形成装置で用いられるＵＶトナーは、紫外光を照射しなくても肉眼でＵＶトナーの画像が見者に識別できてしまうという問題がある。これは、通常、ＵＶトナーには「バインダー樹脂」等の光沢（いわゆる「てかり」）のある材料が含まれているために発生する問題である。例えば、ＵＶトナーで印刷された印刷物の用途によっては、可視光下（紫外光を照射しない状態）でＵＶトナーのトナー像が識別できない方が良い場合もある。例えば、ＵＶトナーの画像により印刷物の真偽の判断等が行われ場合、可視光下でＵＶトナーの画像が識別できない方がよい。
【０００７】
上述のような問題点に鑑みて、発光色の現像剤（例えば、ＵＶトナー）を用いて画像形成された媒体で、発光色の画像が発光していない状態でも発光色の画像に基づく情報を観者に識別されてしまうことを抑制することができる画像形成装置、情報処理装置及び画像形成システムが望まれている。
【課題を解決するための手段】
【０００８】
第１の本発明は、画像形成データに基づいて媒体に画像形成を行う画像形成装置において、（１）前記画像形成データから、媒体に画像形成する画像を示す第１の画像データを取得する第１の画像データ取得手段と、（２）前記画像形成データから、前記第１の画像データに基づく画像を媒体に画像形成する際に付加する付加情報と、媒体に画像形成する際の仕上げ方法の情報を抽出するデータ抽出手段と、（３）前記付加情報に基づく第２の画像を、複数の分解画像に分解する分解手段と、（４）前記第１の画像データに基づく画像が画像形成された媒体を、前記仕上げ方法の情報に基づいて仕上げた場合に、前記分解画像が組み合わさって前記付加情報が判読可能となるようにそれぞれの前記分解画像の配置位置を決定する配置位置決定手段と、（５）媒体に前記第１の画像データに基づく画像を通常色の現像剤で画像形成し、それぞれの前記分解画像を前記媒体の前記配置位置決定手段により決定された配置位置に発光色の現像剤を用いて画像形成する画像形成手段とを有することを特徴とする。
【０００９】
第２の本発明の情報処理装置は、（１）媒体に画像形成する画像を示す第１の画像データを保持する第１の画像データ保持手段と、（２）前記第１の画像データに基づく画像を媒体に画像形成する際に付加する付加情報と、媒体に画像形成する際の仕上げ方法の情報を取得する情報取得手段と、（３）前記第１の画像データと、前記付加情報と、前記仕上げ方法の情報とを結合した画像形成データを画像形成装置に送信する送信手段とを有することを特徴とする。
【００１０】
第３の本発明の画像形成システムは、第１の本発明の画像形成装置と、第２の本発明の情報処理装置とを有することを特徴とする。
【００１１】
第４の本発明の画像形成装置は、（１）所定の光を照射すると発光する発光色の現像剤を用いた発光色画像と、発光色以外の通常色の現像剤を用いた通常色画像とを含む画像形成データを保持する画像形成データ保持手段と、（２）前記画像形成データ保持手段が保持した画像形成データに基づいて媒体に画像形成を行って前記所定の光を照射した場合に現れる画像をプレビュー画像として生成するプレビュー画像作成部と、（３）前記プレビュー画像を表示出力して、前記プレビュー画像中の一部の領域の選択を受付ける領域選択手段と、（４）前記画像形成データに対して、前記領域選択手段で選択を受付けた選択領域における各色の現像剤の濃度調整を行い、前記画像形成データに基づいて媒体に画像形成を行って前記所定の光を照射した場合に発生する発光色画像の裏写りを調整する裏写り調整手段と、（５）前記裏写り調整手段により調整された後の前記画像形成データに基づいて、媒体に画像形成を行う画像形成手段とを有することを特徴とする。
【発明の効果】
【００１２】
本発明によれば、発光色の現像剤を用いて画像形成された媒体で、発光色の画像が発光していない状態でも発光色の画像に基づく情報を観者に識別されてしまうことを抑制することができる。
【図面の簡単な説明】
【００１３】
【図１】第１の実施形態に係る画像形成装置の印刷機能に係る機能的構成について示したブロック図である。
【図２】第１の実施形態に係る画像形成装置の全体構成及び周辺の接続構成について示したブロック図である。
【図３】第１の実施形態に係る画像形成装置で用いられるジョブ投入情報の構成例について示した説明図である。
【図４】第１の実施形態に係るタグ情報の受付け方法及び構成例について示した説明図である。
【図５】第１の実施形態に係る画像形成装置で、タグ情報に基づき印刷用紙にプロパティ情報の画像が印刷された例について示した説明図である。
【図６】第１の実施形態に係るＵＶ色画像分解部でタグ情報に基づくプロパティ情報の画像が分解される例について示した説明図である。
【図７】第１の実施形態に係る画像形成装置におけるジョブ実行時の基本的動作について示したフローチャート（その１）である。
【図８】第１の実施形態に係る画像形成装置におけるジョブ実行時の基本的動作について示したフローチャート（その２）である。
【図９】第１の第１の実施形態に係る印刷機能の動作について示したフローチャート（その１）である。
【図１０】第１の実施形態に係る印刷機能の動作について示したフローチャート（その２）である。
【図１１】第１の実施形態に係る情報処理装置で、印刷ジョブ（印刷データ）の送信が行われる際の動作例について示したフローチャートである。
【図１２】第２の実施形態に係る画像形成装置の印刷機能に係る機能的構成について示したブロック図である。
【図１３】第２の実施形態に係る画像形成装置で印刷用紙の表面と裏面の両面で１つの画像を形成するようにＵＶ印刷した例について示した説明図である。
【図１４】第２の実施形態に係る画像形成装置（印刷機能）の動作の例について示したフローチャートである。
【図１５】第２の実施形態に係る画像形成装置で印刷用紙の裏面にＵＶ画像が印刷された場合の、ＵＶ画像とＣＭＹＫ画像の組み合わせについて示した説明図である。
【図１６】第２の実施形態に係る画像形成装置（印刷機能）が裏写り判定データを用いてＵＶ光下でＵＶ領域が裏写りするかどうかを判定する例を示した説明図である。
【図１７】第２の実施形態に係る画像形成装置（印刷機能）が作成するプレビュー画像の例について示した説明図である。
【図１８】第２の実施形態に係る画像形成装置（印刷機能）が表示する印刷プレビュー画面の構成例について示した説明図である。
【図１９】第２の実施形態に係る画像形成装置（印刷機能）が表示する濃度調整画面の構成例について示した説明図である。
【図２０】第２の実施形態に係る画像形成装置（印刷機能）が濃度値変換テーブルを用いて濃度値を変換する例をグラフ形式で示した説明図である。
【図２１】第３の実施形態に係る画像形成装置の印刷機能に係る機能的構成について示したブロック図である。
【図２２】第３の実施形態に係る画像形成装置（印刷機能）の動作の例について示したフローチャートである。
【図２３】第３の実施形態に係る画像形成装置（印刷機能）が保持する優先順位データの構成例について示した説明図である。
【図２４】第３の実施形態に係る画像形成装置（印刷機能）が保持する制限データの構成例について示した説明図である。
【図２５】第２及び第３の実施形態の変形例に係る画像形成装置で印刷用紙の表面と裏面の両面で１つの画像を形成するようにＵＶ印刷した例について示した説明図である。
【発明を実施するための形態】
【００１４】
（Ａ）第１の実施形態
以下、本発明による画像形成装置、情報処理装置及び画像形成システムの第１の実施形態を、図面を参照しながら詳述する。この実施形態では、本発明の画像形成装置を複合機（画像処理装置）に適用する例について説明する。
【００１５】
（Ａ−１）第１の実施形態の構成
図２は、この実施形態の画像処理装置１０１の機能的構成及び周辺の接続構成を示すブロック図である。なお、図２において括弧内の符号は、後述する第２、第３の実施形態で用いられる符号である。
【００１６】
この実施形態では、画像処理装置１０１を複合機に適用した例について説明する。また、画像処理装置１０１は、ネットワークＮに接続しており、同じネットワークＮに接続している情報処理装置１８０の印刷要求（印刷データ）に従って印刷用紙に画像形成する処理を行うプリンタとしても機能する。
【００１７】
第１の実施形態の画像形成システムは、画像処理装置１０１及び情報処理装置１８０を有しているものとする。
【００１８】
画像処理装置１０１は、複数色のトナー（現像剤）を用いて印刷（画像形成）が可能となっている。画像処理装置１０１は、シアン、マゼンタ、イエロー、ブラックの４色のトナーを用いた印刷の他に、発光色の現像剤（発光現像剤）としての発光トナーを用いた印刷も可能であるものとする。
【００１９】
発光トナーとは、外部からエネルギー（所定の光や熱等）が加えられてトナー内の発色剤の電子が基底状態から励起状態に遷移した後にふたたび基底状態に戻るときに光を放出する卜ナーである。発光トナーとしては、例えば、エネルギーとして紫外光（ＵＶ；ブラックライト）を照射すると、可視光領域の光（蛍光）を発するトナー（以下、「蛍光トナー」又は「ＵＶトナー」と呼ぶ）がある。この実施形態の例では、画像処理装置１０１は、発光トナーとして、ＵＶトナーを用いた印刷が可能であるものとして説明する。
【００２０】
以下では、通常の印刷に用いられるトナー色（この実施形態では、シアン、マゼンタ、イエロー、ブラック）を総称して「通常色」とも呼ぶものとする。また、以下では、ＵＶトナー（蛍光トナー）の色を「ＵＶ色」（発光色）とも呼ぶものとする。なお、画像処理装置１０１は、複数のＵＶ色に対応し、それぞれのＵＶ色についてトナー像を形成して印刷するようにしてもよい。
【００２１】
情報処理装置１８０は、例えばＰＣ等の種々のコンピュータを適用することができる。情報処理装置１８０の内部構成については限定されない。この実施形態の例では、情報処理装置１８０は、図２に示すように、アプリケーション１８１、ＯＳ１８２、プリンタドライバ１８３、及びプロパティ情報追加部１８４を有している。図２に示す情報処理装置１８０の内部構成は、コンピュータ上にインストールされた各ソフトウェアの機能的構成について示している。情報処理装置１８０では、ミドルウェアとしてのＯＳ１８２上に、アプリケーション１８１、プリンタドライバ１８３及びプロパティ情報追加部１８４がインストールされているものとする。アプリケーション１８１は、例えば、文書編集アプリケーション等が該当する。アプリケーション１８１は、ユーザの操作に応じて印刷出力する文書の印刷処理を、プリンタドライバ１８３に依頼する。アプリケーション１８１は、特に幅広いジャンルが存在し、さまざまな要求にこたえるよう作成される最も目的達成に特化したソフトウェアである。アプリケーション１８１としては、例えば、ＭＳ−Ｗｏｒｄ（登録商標）、ＭＳ−Ｅｘｃｅｌ（登録商標）のような文書を作成するアプリケーションが該当する。ＯＳ１８２としては、例えば、Ｍｉｃｒｏｓｏｆｔ（登録商標）社のＷｉｎｄｏｗｓ（登録商標）、Ｌｉｎｕｘ（登録商標）、Ｇｏｏｇｌｅ（登録商標）社のＡｎｄｒｏｉｄ（登録商標）などに代表されるオペレーティングシステムを適用することができる。プリンタドライバ１８３は、画像処理装置１０１に印刷データに基づく印刷処理の実行（印刷ジョブの実行）や各種設定変更等を行うものである。プロパティ情報追加部１８４は、プリンタドライバ１８３が印刷データを生成する際の印刷条件やユーザ情報等の各種設定値（プロパティ情報）を保持するものである。プリンタドライバ１８３は、アプリケーション１８１の要求に応じて、画像処理装置１０１に対して印刷処理を依頼するための印刷データを作成して、画像処理装置１０１に送信（印刷ジョブの実行を要求）する処理等を行う。この実施形態の例では、プリンタドライバ１８３は、ＰＤＬ（Ｐａｇｅ  Ｄｅｓｃｒｉｐｔｉｏｎ  Ｌａｎｇｕａｇｅ）で記述された印刷データを作成するものとして説明する。プリンタドライバ１８３は、印刷データの作成にあたってプロパティ情報追加部１８４で保持している情報を利用する。
【００２２】
プロパティ情報追加部１８４は、アプリケーション毎のプロパティ情報を保持する記憶部１８４ａ（入力欄）を有している。プロパティ情報の内容としては、例えば、通常、作成者、会社名、作成日付などがあり、その他メモ欄には自由な記述が可能である。プロパティ情報は、自由な記述が可能であるため、変更履歴などを表現することも可能である。
【００２３】
そして、プロパティ情報追加部１８４（記憶部１８４ａ）は、プロパティ情報の一部として、特定のタグに関連付けられた情報（以下、「タグ情報」と呼ぶ）の保持が可能であるものとする。第１の実施形態では、画像処理装置１０１が、このタグ情報に基づき、印刷する文書にプロパティ情報（タグ情報で記述された付加情報としてのプロパティ情報）をＵＶ色で印刷する処理を行う。
【００２４】
プリンタドライバ１８３は、印刷データを生成する際に、プロパティ情報追加部１８４で保持されているタグ情報を取得して、当該タグ情報も含めて送信する処理を行うことが可能であるものとする。また、ここでは、プリンタドライバ１８３は、プロパティ情報追加部１８４で保持するタグ情報（プロパティ情報）の編集をユーザから受付けることが可能であるものとする。タグ情報の詳細構成については後述する。
【００２５】
次に、画像処理装置１０１の内部構成について図２を用いて説明する。
【００２６】
画像処理装置１０１は、通信部１０２、通信制御部１０３、通信指示認識部１０４、操作パネル１０５、パネル制御部１０６、パネル指示認識部１０７、アカウント管理部１０８、ジョブ管理部１０９、機能管理部１１０、スキャナ機能１１１、ＦＡＸ機能１１２、媒体アクセス機能１１３、印刷機能１１４、Ｅｍａｉｌ機能１１５、レポート作成機能１１６、権限管理部１１８、設定値管理部１１９、ログ管理部１２０、及び記憶部１２１を有している。
【００２７】
通信部１０２は、ネットワークＮ等に接続するためのインタフェースである。通信部１０２は、ネットワークＮに接続するためのプロトコルに対応し、情報処理装置１８０等の外部の装置と通信をする。通信部１０２が対行う通信処理には、ＵＳＢ、ＩＥＥＥ１３９４などのローカルな通信処理の他、ネットワークやＦＡＸのようなグローバルな通信処理も含むものとする。通信部１０２は、主にハードウェア部分を指し、ソフトウェアは一部のプログラム（マイクロプログラム）を指している。プログラム（マイクロプログラム）は、例えば、ハードウェアが実現する範囲の仕事の一部をハードウェアにダウンロードした専用プログラムで代行させたものである。
【００２８】
通信制御部１０３は、通信部１０２を動作させる機能（ソフトウェアの機能）を担っている。通信制御部１０３は、例えば、通信部１０２が受信した情報を画像処理装置１０１内の上位層のソフトウェアへ転送する処理、及び上位層のソフトウェアから受け取った情報を外部装置へ転送するように通信部１０２を制御すること等を行う。
【００２９】
通信指示認識部１０４は、通信部１０２の上位層で通信部１０２より転送された受信情報の解釈と、解釈の結果必要となった簡単なアクションの機能を担っている。通信指示認識部１０４が行う「受信情報の解釈」とは、例えば、受信した情報の中に含まれるコマンドを検出し、検出したコマンドを解析（コマンドの内容を把握）することである。「解釈の結果必要となったアクション」とは、例えば、コマンドで要求されている内容が簡単なもの（設定値の値参照や変更など）のことである。通信指示認識部１０４は、複雑なアクションについては、ジョブ管理部１０９に転送する。画像処理装置１０１では、要求されている内容が複雑なもの（例えば、印刷など）の場合には、ジョブ管理部１０９の制御に基づいて実行される。通信指示認識部１０４は、処理するコマンドによっては、依頼元（例えば、情報処理装置１８０）の権限を確認するため、その依頼元に認証情報を要求する。依頼元から認証情報が送付され、それを用いて認証し、権限照合が成功すると、通信指示認識部１０４は、依頼元から送信されたユーザ識別子（ユーザ名）を引数としてジョブ管理部１０９に処理を要求する。これにより、ジョブ管理部１０９は、依頼元のユーザを特定し、さらに、依頼された処理の実行可否を判断することが可能となる。また、通信指示認識部１０４は、設定値管理部１１９に存在する認証処理の設定値（以下、「認証設定値」と呼ぶ）がＯＦＦである場合には、認証処理を行わないものとする。
【００３０】
操作パネル１０５は、ユーザに対する情報出力やユーザからの操作入力受付等を行うユーザインタフェースとして機能する。操作パネル１０５は、例えば、図示しない内部パスインタフェースで直接接続された入出力装置として構成することができる。操作パネル１０５は、例えば、操作画面を表示するためのタッチパネル式のＬＣＤ（Ｌｉｑｕｉｄ  Ｃｒｙｓｔａｌ  Ｄｉｓｐｌａｙ）パネルやＬＥＤ（Ｌｉｇｈｔ  Ｅｍｉｔｔｉｎｇ  Ｄｉｏｄｅ）等を用いて情報出力を行う。操作パネル１０５に適用可能なＬＣＤパネルは様々なサイズのものがあるが、例えば、複合機に搭載されるものではＶＧＡ（６４０ｘ４８０ｄｏｔ）のものが最大クラスである。操作パネル１０５では、例えば、数個程度のＬＥＤが実装され、それぞれに意味を持たせて点灯させられる。操作パネル１０５は、例えば、ＬＣＤパネルを用いたソフトウェアボタンや、図示しないハードボタン等を用いて入力を受けつけるようにしてもよい。操作パネル１０５は主にハードウェア部分を指し、ソフトウェアは一部のプログラム（マイクロプログラム）のみを指している。
【００３１】
パネル制御部１０６は、操作パネル１０５を制御するソフトウェア処理の機能を担っている。パネル制御部１０６は、ユーザの操作（操作パネル１０５に対する操作）や画像処理装置１０１内部で発生したイベントに反応して表示（操作パネル１０５から表示出力する内容）を切り替える。パネル制御部１０６が行う処理は、例えば、操作パネル１０５上の画面の移動（例えば、メニュー操作等による画面遷移）や表示の変化などの画面操作と、値選択、入力などの目的を達成するための入力操作に分かれる。パネル制御部１０６は、主として上述の画面操作に係る処理を行い、上述の入力操作に係る入力信号は、パネル指示認識部１０７へ転送して処理を依頼するものとする。パネル制御部１０６は、内部で発生したイベントは、パネル制御部１０６が表示出力する操作画面の所定の領域（例えば、ステータス表示用の画面）に表示する。パネル制御部１０６は、表示すべき情報（例えば、文字やインジケータ等）を、画像信号（例えば、ビットマップ形式のデータ）に変換して操作パネル１０５へ転送する。そして、操作パネル１０５は、供給された画像信号に応じた表示出力を行うことになる。
【００３２】
パネル指示認識部１０７は、操作パネル１０５、パネル制御部１０６経由で通知されるユーザの操作情報に基づいて、入力された指示内容を認識する。パネル指示認識部１０７は、例えば、提供するサービスや機能をそれぞれ項目としてメニュー形式で操作パネル１０５に表示させ、そのメニューからいずれかの項目をユーザに選択させることにより、ユーザから入力された指示内容を認識する。パネル指示認識部１０７は、画像処理装置１０１が実行する各機能に関する選択を受付けたり、種々のパラメータ（設定値）の変更の受付け等を行う。画像処理装置１０１が対応する機能（複合機としての機能）としては、例えば、ＣＯＰＹ、ＳｃａｎＴｏＥｍａｉｌ（スキャンした画像をＥｍａｉｌに添付して送信する機能）、ＳｃａｎＴｏＦＡＸ（スキャンした画像をＦＡＸ送信する機能）などがある。パネル指示認識部１０７は、要求されている内容が簡単な処理（例えば、操作画面上の設定値の値参照や変更などの処理）については直接処理を実行する。パネル指示認識部１０７は、認識した指示内容で要求されている内容が複雑な処理（例えば、印刷など）の場合には、ジョブ管理部１０９へ転送し処理を依頼する。
【００３３】
また、パネル指示認識部１０７は、上述した機能の選択の他、その機能実行に必要な付属の情報（以下、「ジョブ投入情報」とも呼ぶ）についても指示内容として認識する。機能実行（ジョブ実行）に必要な付属の情報とは、例えば、実行しようとする機能がＦＡＸ送信機能であれば、送信先電話番号等が該当する。また、例えば、実行しようとする機能がＥｍａｉｌ送信であれば、当該機能実行に必要な付属の情報としては送信先メールアドレス等が該当する。さらに、例えば、実行しようとする機能が印刷であれば、当該機能実行に必要な付属の情報としては解像度、色の濃さ、両面／片面印刷や印刷部数等が該当する。
【００３４】
図３は、ジョブ投入情報の構成例について示した説明図である。
【００３５】
図３に示すジョブ投入情報には、「ユーザ名」、「ユーザ所属」、「勤務年数」、「役職」、「投入ジョブ種別」、「設定値」、及び「ジョブ投入時の時刻」の項目の情報が含まれている。図３に示すように、「ジョブ投入情報」は、ユーザが画像処理装置１０１にジョブを受付ける際に付加される情報である。画像処理装置１０１は、ジョブ投入時に依頼元のユーザ（又は情報処理装置１８０等の依頼元の外部装置）から、「ユーザ名」「パスワード」のような認証情報以外に、「投入ジョブ種別」および投入ジョブ種別毎の「設定値」などの入力を受付ける。
【００３６】
「ユーザ名」及び「パスワード」の項目は、通常の認証に必要な情報である。パネル指示認識部１０７は、認証情報を照合して許可されたユーザであるかどうかを確認する。パネル指示認識部１０７は、認証が成功したユーザの情報をアカウント管理部１０８から取得し、ジョブ投入情報の一部として取得する。パネル指示認識部１０７は、例えば、認証が成功したユーザについて必要な項目の情報（図３の例では、「ユーザ所属」「勤務年数」「役職」）をアカウント管理部１０８から取得し、ジョブ投入情報の一部として設定する。
【００３７】
「ジョブ投入時の時刻」の項目は、当該ジョブ投入情報に係るジョブの投入が行われた時刻を表している。パネル指示認識部１０７は、例えば、図示しない画像処理装置１０１内部の時計（リアルタイムクロック）や、外部の図示しない時刻サーバから時刻を取得して、「ジョブ投入時の時刻」の項目を設定するようにしてもよい。
【００３８】
「投入ジョブ種別」はユーザが画像処理装置に対して実行したいジョブの種類を示すもので、コピー、印刷、ＦＡＸ送信、Ｅｍａｉｌ送信などが該当する。図３の例では「投入ジョブ種別」として「Ｅｍａｉｌ送信」が指定されている。
【００３９】
「設定値」の項目は、「投入ジョブ種別」で指定された機能の処理に必要となるパラメータを設定する項目である。なお１つのジョブ投入情報に「設定値」の項目が複数設定される場合もあり得る。図３に示すジョブ投入情報では、「Ｅｍａｉｌ送信」に対応する「設定値」として、Ｅｍａｉｌアドレスとファイル形式（添付ファイルの形式）が設定されている。
【００４０】
以上のように、「ジョブ投入情報」とは、ジョブ投入時に関する様々な情報を集めたものとなる。なお、図３に示すジョブ投入情報は、一例であり実際には、当該ジョブの処理で必須となる項目の情報だけが含まれていればよい。
【００４１】
パネル指示認識部１０７は、処理するコマンドによっては、そのコマンドの実行権限を確認するため、パネル制御部１０６、操作パネル１０５を経由してユーザに認証情報を要求する。パネル指示認識部１０７は、ユーザから認証情報の入力を受付けると、その認証情報を用いて認証し、権限を照合する。パネル指示認識部１０７は、権限照合が成功すると、ジョブ管理部１０９に処理を要求する時にユーザから入力されたユーザ識別子を引数として渡す。この情報（ユーザ識別子）は、ジョブ管理部１０９において、ジョブの実行を許可するかしないかの判断に用いられることになる。また、パネル指示認識部１０７は、設定値管理部１１９に存在する認証設定値がＯＦＦである場合には、認証を行わないものとする。
【００４２】
ジョブ管理部１０９は、ユーザから要求されたジョブを通信指示認識部１０４やパネル指示認識部１０７経由で受け付け、その受け付けたジョブを実行する構成要素を選択し、当該構成要素に実行を指示する。また、ジョブ管理部１０９は、ジョブ実行を指示した構成要素の状態を監視し、当該ジョブに係る処理の終了を判断する処理も行う。さらに、ジョブ管理部１０９は、ジョブに対する操作指示（ユーザからの操作指示）も受け付け、受付けた操作指示に応じた制御を行う。
【００４３】
ジョブ管理部１０９は、ジョブの受け付け時には、ジョブの依頼者がそのジョブを実行する権限を持っているかを確認する処理を行う（権限の照合）。また、ジョブ管理部１０９は、権限を照合した結果、実行可能である場合には、そのジョブの所有者として照合したユーザ識別子をジョブに添付させる。ジョブ管理部１０９は、自動で起動するローカルプリントなど、内部処理から投入されたジョブの場合は、権限の照合は行わず実行する。ジョブ管理部１０９は、ジョブの処理がまだ開始順番待ちなのか、開始して実行中なのか、開始したがエラーが発生して止まっているのか等の監視（ジョブの監視）を行う。ジョブ管理部１０９は、ジョブが終了した場合、当該ジョブが正常に終了したのか異常で終了したのか等を監視する。また、ジョブ管理部１０９は、異常で終了したジョブについては、原因を監視する。ジョブ管理部１０９は、ジョブに対する情報を管理し、ジョブに対する状態の問い合わせがあれば、それに応答する。ジョブ管理部１０９は、ジョブに対する監視以外の指示として、開始、一時停止、キャンセル、再開等も受付ける。ジョブ管理部１０９は、いずれの指示についても、実行前にはジョブに添付してある所有者を確認し、指示したユーザが当該ジョブの所有者（実行権限のある者）であれば実行し、所有者でなければ実行を拒否するなどの処理を行う。
【００４４】
機能管理部１１０は、画像処理装置１０１内で保持する各機能に係る構成要素を管理する。機能管理部１１０は、ジョブ管理部１０９からの指示によりジョブに機能を割り当て、動作させる。ジョブ管理部１０９がユーザから要求された単位のジョブ（例えば、ＳｃａｎＴｏＥｍａｉｌ等）を扱うことが役割であることに対し、機能管理部１１０は、各ジョブで用いられる各構成要素を個々に管理する。例えば、機能管理部１１０は、ＳｃａｎＴｏＥｍａｉｌのジョブについてＳｃａｎの処理とＥｍａｉｌの処理を個々に管理する。機能管理部１１０は、各機能に係る構成要素を個々に管理することにより、複数の機能を組み合わせて動作させる必要のあるジョブの制御環境を提供する。これにより、画像処理装置１０１では、管理するための構成要素の数を低減させ、全体の制御を容易にしている。機能管理部１１０は、例えば、以下のスキャナ機能１１１、ＦＡＸ機能１１２、媒体アクセス機能１１３、印刷機能１１４、Ｅｍａｉｌ機能１１５、及びレポート作成機能１１６の制御を行う。
【００４５】
スキャナ機能１１１は、図示しないスキャナユニットを駆動してユーザの原稿をスキャンする制御を行う。スキャナ機能１１１は、動作した履歴を、ログ管理部１２０に供給して保存する。
【００４６】
ＦＡＸ機能１１２は、ＦＡＸ受信および、ＦＡＸ送信を制御するものである。ＦＡＸ機能１１２は、ジョブ管理部１０９から指示された領域（場所）に、受信した画像を保存または転送する。また、ＦＡＸ機能１１２は、ジョブ管理部１０９に指示された領域（場所）から画像を読込んでＦＡＸ送信する。ＦＡＸ機能１１２は、動作した履歴を、ログ管理部１２０に供給して保存する。
【００４７】
媒体アクセス機能１１３は、可搬媒体を画像処理装置１０１に装着するためのスロットを有し、装着された可搬媒体中のデータを読込む。可搬媒体とは、例えば、ＵＳＢメモリ、ＳＤカード、コンパクトフラッシュ（登録商標）などが該当する。媒体アクセス機能１１３は、指示に応じて可搬媒体のデータを読みだす処理と、指示に応じて可搬媒体にデータを書き込む処理を行う。媒体アクセス機能１１３は、動作した履歴を、ログ管理部１２０に供給して保存する。
【００４８】
印刷機能１１４は、機能管理部１１０から与えられるデータに従った画像を媒体としての印刷用紙に印刷（画像形成）する。印刷機能１１４は、印刷工程において実際に印刷用紙にトナー像（現像剤像）を定着させる処理を行う。印刷機能１１４は、印刷処理が完了した印刷用紙を図示しない排紙スタッカに排紙する。印刷機能１１４は、動作した履歴を、ログ管理部１２０に供給して保存する。
【００４９】
次に、印刷機能１１４の内部構成について図１を用いて説明する。
【００５０】
印刷機能１１４は、ＰＤＬデータ受信部１５０、ＰＤＬデータ解析部１５１、カラーマッチング処理１５２、印刷イメージ生成部２１０、印刷イメージ生成用バッファ２２０、中間コード格納部１６１、通常色用印刷イメージ格納部１６６、ＵＶ色用印刷イメージ格納部１６７、印刷部１６８を有している。また、印刷イメージ生成用バッファ２２０は、通常色用ＲＯＰ情報格納部１６２、通常色用カラー情報格納部１６３、ＵＶ色用ＲＯＰ情報格納部１６４、及びＵＶ色用カラー情報格納部１６５を有している。
【００５１】
ＰＤＬデータ受信部１５０は、印刷機能１１４が処理するデータの入力を受付ける。ＰＤＬデータ受信部１５０が受付けるデータはＰＤＬ形式で記述された印刷データであるものとする。
【００５２】
ＰＤＬデータ解析部１５１は、ＰＤＬデータ受信部１５０が取得したＰＤＬデータを解析し、その指示に従ってディスプレイリストを作成する。ディスプレイリストは、ＰＤＬ言語を解釈して描画イメージを作成するための中間状態を表現したデータフォーマットである。以下では、ＰＤＬデータ解析部１５１が生成するデータを「中間コード」とも呼ぶものとする。また、ＰＤＬデータ解析部１５１は、ＰＤＬデータ内のＵＶ色指定の描画指示を検知する。
【００５３】
カラーマッチング処理１５２は、ＰＤＬで記述された標準な色表現を、自装置（印刷部１６８）の仕様に合わせて変換（補正）する処理を行う。
【００５４】
印刷イメージ生成部２１０は、ＰＤＬデータ解析部１５１が作成した中間コードに基づいて印刷イメージ（ラスターイメージ）を作成する処理を行うものである。印刷イメージ生成部２１０は、描画処理部１５３、中間コード判別部１５４、通常色図形描画部１５５、通常色文字描画部１５６、通常色イメージ描画部１５７、ＵＶ色図形描画部１５８、ＵＶ色文字描画部１５９、ＵＶ色イメージ描画部１６０、ＵＶ色画像分解部１６９及びＵＶ色画像レイアウト部１７０を有している。
【００５５】
中間コード格納部１６１は、ＰＤＬデータ解析部１５１が作成した中間コードを格納しておく領域を持つバッファである。
【００５６】
描画処理部１５３は、ＰＤＬデータ解析部１５１が作成した中間コードから印刷イメージを作成する。描画処理部１５３は、他の構成要素（通常色図形描画部１５５、通常色文字描画部１５６、通常色イメージ描画部１５７、ＵＶ色図形描画部１５８、ＵＶ色文字描画部１５９、ＵＶ色イメージ描画部１６０）を用いて、印刷イメージの作成を行う。また、描画処理部１５３は、印刷イメージ作成の結果（例えば、成功又は失敗）の最終判断を行う。以下では、印刷イメージ生成部２１０で作成される通常色の印刷イメージを「通常色印刷イメージ」とも呼ぶ。また、以下では、印刷イメージ生成部２１０で作成されるＵＶ色の印刷イメージを「ＵＶ色印刷イメージ」とも呼ぶ。
【００５７】
通常色図形描画部１５５は、ＰＤＬで記述された通常色指定の図形描画指示に従い、描画データを作成する。通常色図形描画部１５５は、作成途中の情報を、通常色用ＲＯＰ情報格納部１６２、及び通常色用カラー情報格納部１６３に格納する。通常色図形描画部１５５は、作成結果を、通常色用印刷イメージ格納部１６６に格納する。
【００５８】
通常色文字描画部１５６は、ＰＤＬで記述された通常色指定の文字描画指示に従い、描画データを作成する。通常色文字描画部１５６は、作成途中の情報を、通常色用ＲＯＰ情報格納部１６２、及び通常色用カラー情報格納部１６３に格納する。通常色文字描画部１５６は、作成結果を、通常色用印刷イメージ格納部１６６に格納する。
【００５９】
通常色イメージ描画部１５７は、ＰＤＬで記述された通常色指定のイメージ描画指示に従い、描画データを作成する。通常色イメージ描画部１５７は、作成途中の情報を、通常色用ＲＯＰ情報格納部１６２、及び通常色用カラー情報格納部１６３に格納する。通常色イメージ描画部１５７は、作成結果を、通常色用印刷イメージ格納部１６６に格納する。
【００６０】
ＵＶ色図形描画部１５８は、ＰＤＬで記述されたＵＶ色指定の図形描画指示に従い、描画データを作成する。ＵＶ色図形描画部１５８は、作成途中の情報を、ＵＶ色用ＲＯＰ情報格納部１６４、及びＵＶ色用カラー情報格納部１６５に格納する。ＵＶ色図形描画部１５８は、作成結果を、ＵＶ色用印刷イメージ格納部１６７に格納する。
【００６１】
ＵＶ色文字描画部１５９は、ＰＤＬで記述されたＵＶ色指定の文字描画指示に従い、描画データを作成する。ＵＶ色文字描画部１５９は、作成途中の情報を、ＵＶ色用ＲＯＰ情報格納部１６４、及びＵＶ色用カラー情報格納部１６５に格納する。ＵＶ色文字描画部１５９は、作成結果を、ＵＶ色用印刷イメージ格納部１６７に格納する。
【００６２】
ＵＶ色イメージ描画部１６０は、ＰＤＬで記述されたＵＶ色指定のイメージ描画指示に従い、描画データを作成する。ＵＶ色イメージ描画部１６０は、作成途中の情報を、ＵＶ色用ＲＯＰ情報格納部１６４、及びＵＶ色用カラー情報格納部１６５に格納する。ＵＶ色イメージ描画部１６０は、作成結果を、ＵＶ色用印刷イメージ格納部１６７に格納する。
【００６３】
ＵＶ色画像分解部１６９は、受け取ったＵＶ色の印刷イメージ（例えば、タグ情報に基づく画像）を複数の領域に分解して要求元に返す処理を行う。この実施形態では、ＵＶ色画像分解部１６９は、ＵＶ色の印刷イメージを格子状に既定のサイズ（所定のブロックサイズのブロック）に分解する方法を採用するものとして説明するが、ＵＶ色画像分解部１６９が行う画像の分解方法についてはこれに限定されるものではない。ＵＶ色画像分解部１６９は、例えば、ＵＶ色の印刷イメージについて、ライン状に分解（例えば、縦長又は横長の複数のライン状（帯状）の長方形で分解）するようにしてもよい。ＵＶ色画像分解部１６９の具体的な分解処理の例については後述する。
【００６４】
ＵＶ色画像レイアウト部１７０は、指定された仕上げ方法（例えば、タグ情報で指定された仕上げ方法）に応じて、前記ＵＶ色画像分解部１６９で分解された画像を配置する処理を行う。ＵＶ色画像分解部１６９の具体的なレイアウト処理の例については後述する。
【００６５】
印刷部１６８は、印刷イメージを取得し、印刷用紙に印刷する処理を行う。印刷部１６８は、通常色用印刷イメージ格納部１６６、及びＵＶ色用印刷イメージ格納部１６７から印刷イメージ（通常色印刷イメージ、及びＵＶ色印刷イメージ）を取得する。
【００６６】
レポート作成機能１１６は、指示された種別に応じて、内部のデータ（例えば、ログ管理部１２０が保持するログデータ等）を出力するための印刷データ（ローカルプリントの印刷データ）を作成する。レポート作成機能１１６は、ログ管理部１２０が保持する様々なログデータを読み出して、指示されたローカルプリントに対応する印刷用データを作成する。レポート作成機能１１６は、ログ管理部１２０から読み出したログデータを印刷可能な形式に変換する処理（各ログデータのレイアウト処理を含む）を行う。
【００６７】
Ｅｍａｉｌ機能１１５は、Ｅｍａｉｌ送信・受信を制御する。Ｅｍａｉｌ機能１１５は、ジョブ管理部１０９から指示された場所（領域）に受信したデータを保存又は転送する。また、Ｅｍａｉｌ機能１１５は、ジョブ管理部１０９から指示された場所（領域）のデータに基づく画像のデータを、Ｅｍａｉｌ送信する処理を行う。Ｅｍａｉｌ機能１１５は、動作した履歴を、ログ管理部１２０に保存する。
【００６８】
アカウント管理部１０８は、ユーザの情報を保持する管理部である。画像処理装置１０１において、認証処理は、外部から入力される認証情報（以下、「認証情報Ａ」と呼ぶ）と、内部に登録されている認証情報（以下、「認証情報Ｂ」と呼ぶ）との照合を行うことによって実行される。アカウント管理部１０８には、認証情報Ｂが保持されている。認証情報Ｂは、ユーザを識別するユーザ識別子であるが、具体的な内容や形式は限定されないものである。この実施形態では、ユーザ識別子は、ユーザネームやパスワードで構成されているものとするが、その他の情報（例えば、単なる数値、指紋、アイリス（目の虹彩）等）を適用するようにしてもよい。また、アカウント管理部１０８は、は、認証情報Ｂに関連して「ジョブ投入情報」を構成する情報も保持しているものとする。
【００６９】
権限管理部１１８は、認証が完了したユーザに対して許可されている権限を判断する。権限管理部１１８は、認証が完了したユーザに対して、そのユーザを識別するユーザ識別子を割当てる。権限管理部１１８は、ユーザ識別子を与えることによって、そのユーザに許可された権限を返信する処理も行う。また、権限管理部１１８は、使用量制限（例えば、ユーザごとの印刷する枚数の制限等）を行うようにしても良い。例えば、権限管理部１１８は、上限を表すリミット値と、現在の値を表すカウンタ値を比較し、カウンタ値がリミット値を超えない間は継続動作を許可（印刷を許可）する処理も行うようにしてもよい。
【００７０】
設定値管理部１１９は、画像処理装置１０１の設定値を管理する。設定値管理部１１９は、例えば、設定値の読み出しや設定値の変更を受け付ける。すべての処理が設定値を使用する可能性があるため、設定値管理部１１９は、すべての処理からアクセスされる可能性がある。設定値管理部１１９は、電源再投入時でもデータを保持することができるメモリ（例えば、不揮発メモリ）を用いて構成されていることが望ましい。
【００７１】
ログ管理部１２０は、ジョブ管理部１０９がジョブを実行する度にその都度履歴としてその動作履歴を保存する。ログ管理部１２０は、通常のジョブ実行結果の他、様々なカウンタ値、ジョブ中で処理したデータ自体をログとして保存するようにしてもよい。また、ログ管理部１２０は、電源再投入時でもデータを保持することができるメモリ（例えば、不揮発メモリ）を用いて構成されていることが望ましい。
【００７２】
記憶部１２１は、受信したデータの一時保存先や、送受信するコマンドの保存先として使用されるメモリである。記憶部１２１は、画像処理装置１０１内の全ての構成要素で用いられる可能性がある。また、記憶部１２１は、電源再投入時等でもデータを保持することができるメモリ（例えば、不揮発メモリ）を用いて構成されていることが望ましい。
【００７３】
次に、画像処理装置１０１及び情報処理装置１８０における、タグ情報の処理構成及び、タグ情報に基づくＵＶ色の印刷処理について説明する。
【００７４】
図４は、プリンタドライバ１８３で、ユーザからタグ情報を受付ける例について示した説明図である。図４（ａ）は、プリンタドライバ１８３が、ユーザからタグ情報の入力を受付けるための操作画面（ＧＵＩ画面）の例について示した説明図である。そして、図４（ｂ）は、図４（ａ）の操作画面で入力された内容に基づいて、プリンタドライバ１８３が生成するタグ情報の構成例である。
【００７５】
図４（ａ）に示す操作画面には、２０１〜２０６の符号が付された要素（オブジェクト）が配置されている。
【００７６】
２０１は、ＵＶトナーで印刷するタグ情報の文字列の入力を受付ける指定欄（オブジェクト）である。
【００７７】
２０２は、タグ情報を出力する際のサイズの入力を受付ける指定欄（オブジェクト）である。
【００７８】
２０３は２０１で指定された文字列を媒体上に印刷する際の回転角度を受付ける指定欄（オブジェクト）である。
【００７９】
２０４は印刷媒体の仕上げ方法を受付ける指定欄（オブジェクト）である。仕上げ方法とは、印刷物の最終的な状態（仕上げ）を表しており。例えば、印刷用紙を２つ折りにする「２つ折」、印刷用紙を複数枚（ｎ枚）綴りで製本する「ｎ枚綴り」、特に折り曲げや綴り等を伴わない「標準」、複数枚の印刷用紙を綴って袋とじする「袋とじ」等がある。この実施形態では、仕上げとして「２つ折」を例に説明するが、指定欄２０４では他の仕上げの選択も可能である。
【００８０】
２０６は、２０１で指定された文字列を媒体上に印刷する際の位置を受付ける指定欄（オブジェクト）である。
【００８１】
２０５は、指定欄２０１で入力された文字列が、指定欄２０４で仕上げされた印刷物に、指定欄２０２、２０３、２０４、２０６の条件で印刷された場合のプレビュー画像（印刷された画像の見え方の例）を表示するプレビュー欄（オブジェクト）である。
【００８２】
図４（ａ）では、指定欄２０１に文字列として「秘」という文字を丸（○）で囲った特殊文字が入力されている。また、図４（ａ）では、指定欄２０２にサイズとして２８２の値が入力されている。さらに、図４（ａ）では、指定欄２０３に回転角度として４（＋４）の値が入力されている。さらにまた、図４（ａ）では、指定欄２０４に仕上げとして「２つ折」が入力されている。また、図４（ａ）では、指定欄２０６に、印刷位置として「中央」が入力されている。そして、図４（ａ）に示すプレビュー欄２０５では、２つ折された印刷用紙に、指定欄２０１に入力された文字列（「秘」という文字を丸（○）で囲った特殊文字）が、指定欄２０２、２０３、２０６で指定された条件（サイズ、印刷角度、印刷位置）で印刷した場合のプレビュー画像が表示されている。
【００８３】
プリンタドライバ１８３では、図４（ａ）のような操作画面で、タグ情報を構成する各パラメータ（文字列、サイズ、回転角度、仕上げ、印刷位置）の入力を受付けると、例えば、図４（ｂ）のようなタグ情報を生成して、プロパティ情報追加部１８４に保持させる。
【００８４】
図４（ｂ）に示すタグ情報は、タグ情報を示す「<uv>…</uv>」というタグに関連づけて、タグ情報を構成する各パラメータ（図４（ａ）で指定された文字列、サイズ、回転角度、仕上げ、及び印刷位置）が記述されている。なお、タグ情報の具体的な記述形式は限定されないものであり、種々の記述形式を適用することができるが、少なくとも文字列と仕上げの情報が含まれている必要がある。
【００８５】
そして、画像処理装置１０１は、図４のタグ情報に基づいて、例えば、図５のようなプロパティ情報の印刷を行う。
【００８６】
図５（Ａ）は、ユーザが最終的に所望する出力結果（２つ折りにした印刷用紙）の仕上がり例を示している。図５（Ｂ）は、図５（Ａ）に示す仕上がりとするために、印刷用紙の第１の面に印刷された画像を示している。図５（Ｃ）は、図５（Ａ）に示す仕上がりとするために、印刷用紙の第２の面に印刷された画像を示している。すなわち、図５（Ｂ）、図５（Ｃ）は、図５（Ａ）に示す２つ折の印刷用紙を折り曲げる前の印刷用紙の各面の印刷画像を示している。
【００８７】
図５に示す印刷用紙では、第２の面に、斜体の文字列「有色トナー画像」が、通常色で印刷されており、タグ情報で指定された文字列（「秘」という文字を丸（○）で囲った特殊文字）が複数の領域に分解され、さらに第１の面と第２の面に分散して印刷されている。
【００８８】
図５では、タグ情報で指定された文字列（「秘」という文字を丸（○）で囲った特殊文字）が、図６に示すように３つの領域に分散された例について示している。図６では、タグ情報で指定された文字列（「秘」という文字を丸（○）で囲った特殊文字）の画像が、「秘」の文字の左側の矩形の画像Ａ１１と、「秘」の文字の右側の矩形の画像Ａ１２と、「秘」の文字を囲う丸（○）の部分の画像Ａ１３に分解される例について示している。すなわち、図５では、図６に示す画像Ａ１１、Ａ１２、Ａ１３が、第１面と第２面に分散して配置されている。
【００８９】
図５の例では、印刷用紙の第１面の左側に、画像Ａ１１が鏡面反転させた画像がＵＶ色（ＵＶトナー）で印刷されている。また、図５の例では、印刷用紙の第１面の右側に、画像Ａ１２が反転させずにＵＶ色（ＵＶトナー）で印刷されている。さらに、図５の例では、印刷用紙の第２の面に、画像Ａ１３が印刷されている。図５（Ｂ）、図５（Ｃ）のように画像Ａ１１、Ａ１２、Ａ１３が印刷された印刷用紙を、指定された仕上げ（この例では２つ折り）で仕上げた形態にしてＵＶ光を当てると、図５（Ａ）のように、タグ情報で指定された文字列（「秘」という文字を丸（○）で囲った特殊文字）の画像が組み合わさって見えることになる。ＵＶトナーで印刷した画像は、発光するため、図５（Ａ）のように印刷用紙が重なっている状態でも透過してみることが可能である。
【００９０】
すなわち、画像処理装置１０１では、タグ情報で指定された文字列の画像を、複数に分解し、分解された各画像を、印刷用紙の仕上げ状態を考慮した複数の印刷用紙の印刷面に分散して印刷している。これにより、個々の印刷面を見てもタグ情報で指定された文字列を判読することを困難としつつ、仕上げられた状態で紫外線を当てて初めてタグ情報で指定された文字列（プロパティ情報）を判読可能とすることができる。
【００９１】
この実施形態の例では、図６に示すようなタグ情報で指定された文字列の画像を分解（分割）する処理をＵＶ色画像分解部１６９が行う。そして、分解された各分解画像を、タグ情報で指定された仕上げを考慮して複数の印刷面に分散して配置する処理を、ＵＶ色画像レイアウト部１７０が行う。
【００９２】
ＵＶ色画像分解部１６９がタグ情報に基づく画像を分割する粒度（各分割画像のブロックサイズ）については限定されないものであるが、例えば、各分解画像からタグ情報（文字）の判読が不能となる程度の粒度とすることが望ましい。また、ＵＶ色画像レイアウト部１７０は、タグ情報で指定された仕上げ方法で仕上げられた印刷物にＵＶ光を照射したときに、タグ情報の文字（文字列）が判読可能となるように、分解された各分解画像を配置する必要がある。
【００９３】
ＵＶ色画像分解部１６９による分解やＵＶ色画像レイアウト部１７０によるレイアウト決定（分解画像の配置決定）の具体的な方式については限定されないものであり、例えば、文字やフォントごとに各文字の分解及びレイアウト設定のパターン（仕上げごとのレイアウト設定のパターン）を予め定義して保持しておくようにしてもよい。
【００９４】
以上のように、第１の実施形態では、ＰＤＬデータ解析部１５１が、印刷データ（画像形成データ）から媒体（印刷用紙）に画像形成（印刷）する第１の画像データを取得する第１の画像データ取得手段として機能する。また、第１の実施形態では、ＰＤＬデータ解析部１５１が、印刷データ（画像形成データ）からタグ情報により指定された付加情報（タグ情報で指定された文字列）と、タグ情報で指定された仕上げ方法の情報を取得するデータ抽出手段として機能する。さらに、第１の実施形態では、ＵＶ色画像分解部１６９が、付加情報の画像（第２の画像）を複数の分解画像に分解する分解手段として機能する。さらにまた、第１の実施形態では、ＵＶ色画像レイアウト部１７０が分解画像の配置を決定する配置位置決定手段として機能する。また、第１の実施形態では、印刷部１６８等が、媒体（印刷用紙）に画像形成する画像形成手段として機能する。さらに、第１の実施形態では、情報処理装置１８０において、プリンタドライバ１８３及びプロパティ情報追加部１８４が、タグ情報（付加情報及び仕上げ方法を含む情報）を取得する情報取得手段として機能する。さらにまた、第１の実施形態では、情報処理装置１８０において、プリンタドライバ１８３及びプロパティ情報追加部１８４が、タグ情報（付加情報及び仕上げ方法を含む情報）と印刷する画像データを結合した印刷データ（画像形成データ）を生成して送信する送信手段として機能する。
【００９５】
（Ａ−２）第１の実施形態の動作
次に、以上のような構成を有するこの実施形態の画像処理装置１０１の動作を説明する。
【００９６】
図７〜図９は、画像処理装置１０１の動作について示したフローチャートである。
【００９７】
まず、図７、図８を用いて、画像処理装置１０１のジョブ実行時における基本動作について説明する。
【００９８】
まず、通信部１０２及び通信制御部１０３が外部装置（例えば、情報処理装置１８０）より印刷ジョブ（印刷データ）を受信したものとする（Ｓ１１０１）。
【００９９】
なお、画像処理装置１０１において、ジョブを受付ける手段は限定されず、複数手段に対応するようにしてもよい。画像処理装置１０１は、例えば、情報処理装置１８０等の外部装置からネットワークやＵＳＢケーブルなどの通信媒体を経由してコマンド入力を受付けるようにしてもよい。具体例としては、情報処理装置１８０からプリンタドライバ１８３を使用した通常の印刷、情報処理装置１８０からユーティリティを使用した設定値の変更、情報処理装置１８０からＷＥＢページを使用した状態の監視などが該当する。２つ目は、操作パネル１０５からコマンドを入力する手段がある。具体例としては、コピー、スキャンしてＥｍａｉｌ送信、スキャンして外部のサーバヘファイル転送、ＦＡＸ送信などが該当する。以下で説明する情報処理装置１８０（ＰＣ）からの印刷機能は、前者の形態を採用するものとする。
【０１００】
次に、通信制御部１０３が、情報処理装置１８０から受付けた印刷ジョブ（印刷データ）を通信指示認識部１０４に転送する（Ｓ１１０２）。通信制御部１０３及び通信指示認識部１０４では、例えば、ＰＤＬの「ＰＣＰｒｉｎｔ」という要求識別子に基づいて、ＰＣからの印刷要求（印刷ジョブ）を認識する。
【０１０１】
次に、通信指示認識部１０４は、設定値管理部１１９から認証設定値を読み出す（Ｓ１１０３）。認証設定値は、認証を行うか、行わないかを決定するための設定値である。近年の画像処理装置では、ラニングコスト削減等のため、ユーザによって印刷する枚数等を制限する場合がある。また、Ｅｍａｉｌ送信やＦＡＸ送信などの情報転送機能等に対応する画像形成装置（複合機）では、情報の流出制限のためにもユーザを制限する場合がある。設定値管理部１１９における認証設定値は、ユーザが設定することが可能であるが、一般に管理者と呼ばれる役割が定義されており、その者だけがその設定値を変更する権限を持つ。通常、画像形成装置において、設定値を変更する権限は管理者専用のアカウントによって実現される。
【０１０２】
次に、通信指示認識部１０４は、認証設定値を確認し（Ｓ１１０４）、「認証する」（ＯＮ）に設定されている場合には後述するステップＳ１１０５から動作し、「認証しない」（ＯＦＦ）に設定されている場合には、後述するステップＳ１２０１から動作する。
【０１０３】
認証設定値が「認証する」に設定されている場合、通信指示認識部１０４は、受信した印刷データの中から認証情報Ａを読み出す（Ｓ１１０５）。認証情報Ａには、「ユーザネーム」と「パスワード」とが含まれるものとして説明する。アカウント管理部１０８では、各ユーザの認証情報Ｂとして、「ユーザネーム」及び「パスワード」を登録しているものとする。「ユーザネーム」は公開する値で「パスワード」は非公開の値である。なお、アカウント管理部１０８において、「ユーザネーム」はユーザの識別子であるので、重複登録はできないが、「パスワード」は重複登録可能である。
【０１０４】
次に、通信指示認識部１０４は、アカウント管理部１０８から登録済の認証情報Ｂ（認証情報Ａのユーザネームに対応するパスワード）を読み出す（Ｓ１１０６）。
【０１０５】
次に、通信指示認識部１０４は、認証情報Ａと認証情報Ｂを比較（照合）する（Ｓ１１０７）。画像処理装置１０１は、認証情報Ａと認証情報Ｂが一致（ユーザネーム及びパスワードが一致）する場合には認証成功と認識し、後述するステップＳ１２０１から動作し、一致しない場合には、認証失敗と認識し、受信した印刷データに係る処理を終了する。
【０１０６】
上述のステップＳ１１０７で認証が成功した場合、通信指示認識部１０４は、通信部１０２を介してジョブ管理部１０９にユーザの要求（印刷データに基づく印刷の実行）を通知する（Ｓ１２０１）。
【０１０７】
次に、ジョブ管理部１０９は、機能管理部１１０に要求実行に必要な機能を要求する（Ｓ１２０２）。ここでは、ジョブ管理部１０９は、印刷データに基づいた印刷を要求されているので、機能管理部１１０に対して、印刷するために必要となる印刷機能１１４を要求（問い合わせ）する。
【０１０８】
次に、機能管理部１１０は、要求された機能の空き状況を確認し、可能ならば要求されたジョブ用に割り当てる（Ｓ１２０３）。ここでは、機能管理部１１０は、ジョブ管理部１０９から印刷するために必要となる印刷機能１１４を要求されているので、印刷機能１１４を要求について割当可能か否か（空いているか否か）を確認し、割当てを行うことになる。
【０１０９】
次に、機能管理部１１０は、割当てた機能の構成要素に対して、要求されたジョブ実行に必要な情報を供給して処理開始を指示し（Ｓ１２０４）、さらに、ジョブ管理部１０９から供給されたデータ（例えば、印刷データ）を供給する（Ｓ１２０５）。
【０１１０】
ここでは、機能管理部１１０は、ジョブ管理部１０９から供給された印刷データを、印刷機能１１４に供給することになる。
【０１１１】
次に、機能管理部１１０に処理開始を指示された印刷機能１１４が、機能管理部１１０の指示に応じた処理（印刷データに基づく印刷処理）を行う（Ｓ１２０６）。
【０１１２】
次に、印刷機能１１４は、印刷を完了すると、その結果を機能管理部１１０に通知する（Ｓ１２０７）。この後の処理は、処理完了を管理部（ジョブ管理部１０９）に通知するとともに、操作パネル１０５にも表示させるための動作である。
【０１１３】
機能管理部１１０は、処理終了を認識すると、その処理終了の結果をジョブ管理部１０９に通知する（Ｓ１２０８）。
【０１１４】
次に、ジョブ管理部１０９は、処理終了の結果をパネル指示認識部１０７へ通知する（Ｓ１２０９）。
【０１１５】
次に、パネル指示認識部１０７は、処理終了の結果について、パネル制御部１０６を介し、操作パネル１０５に表示出力させる（Ｓ１２１０）。
【０１１６】
次に、印刷機能１１４の詳細動作（上述のステップＳ１２０６の詳細動作）について図９、図１０を用いて説明する。
【０１１７】
図９は、印刷機能１１４で、ＰＤＬデータに基づく中間コードを生成する処理について示したフローチャートである。
【０１１８】
印刷機能１１４は、印刷処理を開始すると、まず、各バッファを初期化する（Ｓ１３０１）。このとき、印刷機能１１４では中間コード格納部１６１、通常色用ＲＯＰ情報格納部１６２、通常色用カラー情報格納部１６３、ＵＶ色用ＲＯＰ情報格納部１６４、ＵＶ色用カラー情報格納部１６５、通常色用印刷イメージ格納部１６６、ＵＶ色用印刷イメージ格納部１６７、ＵＶ色画像分解部１６９、及びＵＶ色画像レイアウト部１７０が初期化される。
【０１１９】
次に、ＰＤＬデータ解析部１５１は、ＰＤＬデータ受信部１５０から受信した印刷データを構成するデータ（ＰＤＬで記述された各データ）を順に解析して分類する（Ｓ１３０２）。以下では、印刷データを構成するＰＤＬで記述された各データを「ＰＤＬデータ」と呼ぶ。ＰＤＬデータ解析部１５１は、取得したＰＤＬデータを分類し、その分類結果に対応する処理（後述するステップＳ１３０３〜Ｓ１３１４、Ｓ１３１６の処理）を行う。
【０１２０】
ＰＤＬデータ解析部１５１は、ＰＤＬデータ受信部１５０から受信したＰＤＬデータを順に解析していく。ＰＤＬデータ解析部１５１は、受信したデータがＰＤＬデータ（印刷するデータも含む）以外であった場合には受け捨てる。ＰＤＬデータ解析部１５１は、受信するＰＤＬデータの内容により以下のように分類し、それぞれの処理を行う。通常は、通常色（可視光領域を表現した色で、Ｒ，Ｇ，Ｂで表される）の図形、文字、イメージ画像、ＵＶ色の図形、文字、イメージ画像、パターンなどの印刷命令と、印刷時に使用するテーブルデータ（カラー情報、ＲＯＰ情報）の変更命令を識別する。
【０１２１】
ＰＤＬデータ解析部１５１では、上記に加え、ＵＶトナーでの印刷が指定されたタグが検出された場合は、当該タグ情報が識別しにくくなるよう、仕上げ情報に応じて追加処理を行う。具体的には、ＰＤＬデータ解析部１５１は、まず、ＵＶ色画像分解部１６９にＵＶトナーでの印刷が指定されたタグ情報に基づく画像を分解（分割）させ、ＵＶ色画像レイアウト部１７０に分解された各画像のレイアウトを実行させる。
【０１２２】
例えば、タグ情報で指定された仕上げが「標準」仕上げの場合、ＵＶ色画像レイアウト部１７０は、印刷モードを両面印刷に切り替え、前記分解されたタグ情報を表面（第１の印刷面）と裏面（第２の印刷面）に分散して印刷するようにレイアウトする。その際、ＵＶ色画像レイアウト部１７０は、裏面に印刷する画像は、元の分解した画像を鏡面反転させたものとする。
【０１２３】
また、例えば、タグ情報で指定された仕上げが３枚の「ｎ枚綴り」である場合、ＵＶ色画像レイアウト部１７０は、分解された画像を、１枚目、２枚目、３枚目に分散して印刷するようにレイアウト変更する。このとき、ＵＶ色画像レイアウト部１７０は、単純に１枚目の表、２枚目の表、３枚目の表面に分散する以外にも１枚目の表／裏、２枚目の表／裏、３枚目の表／裏に分散させても良い。
【０１２４】
さらに、例えば、ユーザから指定された仕上げが２つ折りであった場合、ＵＶ色画像レイアウト部１７０は、印刷媒体を２つ折にした際に重ね合わさる部分に分散して印刷する。その際、標準モードと同様、部分的にタグ情報を鏡面反射させて表面から紫外光を当てた場合にユーザが指定したタグ情報が読み取れるよう印刷するようにしてもよい（具体的には上述の図５、図６参照）。
【０１２５】
ＰＤＬデータ解析部１５１は、例えば、通常色に係る印刷命令（例えば、図形、文字、イメージ画像等の印刷命令）、ＵＶ色に係る印刷命令（図形、文字、イメージ画像等の印刷命令）、パターン（例えば、テスト用の印刷パターン等）の印刷命令、印刷時に使用するテーブルデータ（カラー情報、ＲＯＰ情報）の変更命令等を識別して分類する。
【０１２６】
上述のステップＳ１３０２で、取得したＰＤＬデータが通常色の印刷命令と分類された場合、ＰＤＬデータ解析部１５１は、まず、カラーマッチング処理１５２に依頼し、カラーマッチングを行う（Ｓ１３０３）。ＰＤＬデータ解析部１５１が行うカラーマッチングの具体的内容については種々の画像形成装置と同様の処理を適用することができるため詳しい説明については省略する。なお、通常は、ＵＶ色についてはカラーマッチングを行う必要はないが、使用するＵＶ色のトナーの性質（例えば、特別な補正を必要とするトナーである場合等）によっては、カラーマッチングを行うようにしてもよい。ただし、ＵＶ色の印刷命令については、ＹＭＣＫへの色空間変換を行う必要はない。
【０１２７】
以上のように、ＰＤＬデータ解析部１５１は解析処理を行う。
【０１２８】
次に、ＰＤＬデータ解析部１５１は、ＰＤＬ命令（通常色の印刷命令）を解釈し、図形、文字、イメージ画像毎に通常色のカラー用中間コード（通常色のカラー情報を設定するディスプレイリスト）を作成する（Ｓ１３０４）。ＰＤＬデータ解析部１５１は、作成した中間コードを中間コード格納部１６１に格納する。
【０１２９】
次に、ＰＤＬデータ解析部１５１は、ＰＤＬ命令（通常色の印刷命令）を解釈し、図形、文字、イメージ画像毎に通常色ＲＯＰ用中間コード（通常色のＲＯＰ情報を設定するディスプレイリスト）を作成する（Ｓ１３０５）。ＰＤＬデータ解析部１５１は、作成した中間コードを中間コード格納部１６１に格納する。
【０１３０】
次に、ＰＤＬデータ解析部１５１は、カラー情報（作成した通常色カラー用中間コード）、及びＲＯＰ情報（通常色ＲＯＰ用中間コード）を考慮して、ＰＤＬの命令（通常色に係る図形、文字、又はイメージの印刷命令）に対応する中間コードを作成する（Ｓ１３０６）。
【０１３１】
一方、上述のステップＳ１３０２で、取得したＰＤＬデータがＵＶ色の印刷命令と分類された場合、ＰＤＬデータ解析部１５１は、ＰＤＬ命令（ＵＶ色の印刷命令）を解釈し、図形、文字、イメージ画像毎にＵＶ色カラー用中間コード（ＵＶ色のカラー情報を設定するディスプレイリスト）を作成する。作成した中間コードは中間コード格納部１６１に格納する（Ｓ１３０７）。ＰＤＬデータ解析部１５１は、作成した中間コードは中間コードを格納部１６１に格納する。
【０１３２】
次に、ＰＤＬデータ解析部１５１は、ＰＤＬ命令を解釈し、図形、文字、イメージ画像毎にＵＶ色ＲＯＰ用中間コード（ＵＶ色のＲＯＰ情報ディスプレイリスト）を作成する（Ｓ１３０８）。ＰＤＬデータ解析部１５１は、作成した中間コードは中間コードを格納部１６１に格納する。
【０１３３】
次に、ＰＤＬデータ解析部１５１は、カラー情報（ＵＶ色カラー用中間コード）、及びＲＯＰ情報（ＵＶ色ＲＯＰ用中間コード）を考慮して、ＰＤＬの命令（ＵＶ色に係る図形、文字、又はイメージの印刷命令）に対応する中間コードを作成する（Ｓ１３１６）。
【０１３４】
上述のステップＳ１３０２で、取得したＰＤＬデータがパターンの印刷命令と分類された場合、ＰＤＬデータ解析部１５１は、当該ＰＤＬデータで指定されたパターンデータを特定する（Ｓ１３０９）。次に、ＰＤＬデータ解析部１５１は、パターンデータに応じて中間コードを作成し、作成した中間コードは中間コード格納部１６１に格納する（Ｓ１３１０）。
【０１３５】
上述のステップＳ１３０２で、取得したＰＤＬデータが通常色カラー情報の変更命令と分類された場合、ＰＤＬデータ解析部１５１は、当該変更命令に従って、通常色のカラー情報（上述のステップＳ１３０４の処理で通常色カラー用中間コードを作成する際に用いる情報）を更新する（Ｓ１３１１）。
【０１３６】
上述のステップＳ１３０２で、取得したＰＤＬデータが通常色ＲＯＰ情報の変更命令と分類された場合、ＰＤＬデータ解析部１５１は、当該変更命令に従って、通常色のＲＯＰ情報（上述のステップＳ１３０５の処理で通常色ＲＯＰ用中間コードを作成する際に用いる情報）を更新する（Ｓ１３１２）。
【０１３７】
上述のステップＳ１３０２で、取得したＰＤＬデータがＵＶ色カラー情報の変更命令と分類された場合、ＰＤＬデータ解析部１５１は、当該変更命令に従って、ＵＶ色のカラー情報（上述のステップＳ１３０７の処理でＵＶ色カラー用中間コードを作成する際に用いる情報）を更新する（Ｓ１３１３）。
【０１３８】
上述のステップＳ１３０２で、取得したＰＤＬデータがＵＶ色ＲＯＰ情報の変更命令と分類された場合、ＰＤＬデータ解析部１５１は、当該変更命令に従って、ＵＶ色のＲＯＰ情報（上述のステップＳ１３０８の処理でＵＶ色ＲＯＰ用中間コードを作成する際に用いる情報）を更新し（Ｓ１３１４）、後述するステップＳ１３１５の処理に移行する。
【０１３９】
上述のステップＳ１３０６、Ｓ１３１０、Ｓ１３１１、Ｓ１３１２、Ｓ１３１３、Ｓ１３１６の処理のいずれかの処理が終了すると、ＰＤＬデータ解析部１５１は、次のＰＤＬデータの有無を確認し（Ｓ１３１５）、次のＰＤＬデータがある場合には、上述のステップＳ１３０２に戻って次のＰＤＬデータの処理を行い、次のＰＤＬデータがない場合には、中間コードの作成処理を終了する。
【０１４０】
以上の動作により、ＰＤＬデータ解析部１５１は、ＰＤＬデータの解析処理を行い、中間コード格納部１６１に結果（各中間コード）が格納された状態となる。
【０１４１】
中間コードの生成が終了すると、印刷機能１１４では、印刷イメージ生成部２１０により、中間コードに対応する印刷イメージの作成が行われる。
【０１４２】
図１０は、印刷イメージ生成部２１０が行う印刷イメージの作成処理について示したフローチャートである。
【０１４３】
まず、中間コード判別部１５４は、中間コード格納部１６１から順に中間コードを読出して取得し、当該中間コードの内容を解析する（Ｓ１４０１）。そして、中間コード判別部１５４は、取得した中間コードの内容を解析し、解析した内容に応じて描画処理部１５３を制御する処理を行う。
【０１４４】
中間コード判別部１５４は、取得した中間コードを解析して、通常色に係る印刷命令（例えば、図形、文字、イメージ画像等の印刷命令）、ＵＶ色に係る印刷命令（図形、文字、イメージ画像等の印刷命令）の印刷命令、パターンの印刷命令、印刷時に使用するテーブルデータ（通常色カラー情報、通常色ＲＯＰ情報、ＵＶ色カラー情報、ＵＶ色ＲＯＰ情報）の変更のいずれかに分類し、その結果に応じ描画処理部１５３を制御する処理を行う。
【０１４５】
上述のステップ１４０１で、取得した中間コードが印刷命令であった場合に、中間コード判別部１５４は、当該中間コードについて通常色の印刷命令（図形、文字、又はイメージ画像）と、ＵＶ色の印刷命令（図形、文字、又はイメージ画像）とを区別して、描画処理部１５３にセットする（Ｓ１４０２）。
【０１４６】
描画処理部１５３は、通常色の印刷命令（図形、文字、又はイメージ画像）の描画処理を、それぞれ対応する描画部（通常色図形描画部１５５、通常色文字描画部１５６、又は通常色イメージ描画部１５７）に依頼して処理させる（Ｓ１４０３）。具体的には、描画処理部１５３は、通常色の図形の描画処理（印刷イメージの作成）を通常色図形描画部１５５に依頼して実行させ、通常色の文字の描画処理を通常色文字描画部１５６に依頼して実行させ、通常色のイメージ画像の描画処理を通常色イメージ描画部１５７に依頼して実行させる。
【０１４７】
描画処理部１５３は、ＵＶ色の印刷命令（図形、文字、又はイメージ画像）に基づく描画処理を、それぞれ対応する描画部（ＵＶ色図形描画部１５８、ＵＶ色文字描画部１５９、ＵＶ色イメージ描画部１６０）に依頼して処理させる（Ｓ１４０４）。具体的には、描画処理部１５３は、ＵＶ色の図形の描画処理（印刷イメージの作成）をＵＶ色図形描画部１５８に依頼して実行させ、ＵＶ色の文字の描画処理をＵＶ色文字描画部１５９に依頼して実行させ、ＵＶ色のイメージ画像の描画処理をＵＶ色イメージ描画部１６０に依頼して実行させる。
【０１４８】
上述のステップＳ１４０１で中間コードから読み出した内容がパターンであった場合、中間コード判別部１５４は、当該中間コードのパターン情報を描画処理部１５３に設定する（Ｓ１４０５）。
【０１４９】
上述のステップＳ１４０１で中間コードから読み出した内容が通常色カラー情報であった場合に、中間コード判別部１５４は、当該情報を描画処理部１５３へ登録する（Ｓ１４０６）。
【０１５０】
上述のステップＳ１４０１で中間コードから読み出した内容が通常色ＲＯＰ情報であった場合に、中間コード判別部１５４は、当該通常色ＲＯＰ情報を、描画処理部１５３へ登録する（Ｓ１４０７）。
【０１５１】
上述のステップＳ１４０１で中間コードから読み出した内容がＵＶ色カラー情報であった場合、中間コード判別部１５４は、当該ＵＶ色カラー情報を描画処理部１５３へ登録する（Ｓ１４０８）。
【０１５２】
上述のステップＳ１４０１で中間コードから読み出した内容がＵＶ色ＲＯＰ情報であった場合、中間コード判別部１５４は、当該ＵＶ色ＲＯＰ情報を描画処理部１５３に登録する（Ｓ１４０９）。
【０１５３】
なお、通常中間コード内はカラー情報、ＲＯＰ情報、描画対象の情報がセットになり記述されているが、上述のステップＳ１４０５〜Ｓ１４０９のように単独で情報登録する場合の処理も可能であるものとする。
【０１５４】
上述のステップＳ１４０３〜Ｓ１４０９、Ｓ１４１１の処理のいずれかが終了すると、中間コード判別部１５４は、中間コード格納部１６１から次の中間コード（未だ処理が登録されていない中間コード）の有無を確認し（Ｓ１４１０）、中間コードが残っている場合には上述のステップＳ１４０１に戻って次の中間コードの処理を行い、中間コードが残っていなければ、描画処理を終了する。
【０１５５】
以上のように印刷機能１１４では、通常色印刷イメージ、及びＵＶ色印刷イメージが作成される。そして、印刷部１６８は、印刷用紙Ｍに、通常色印刷イメージ、及びＵＶ色印刷イメージに基づく画像を形成する。
【０１５６】
次に、情報処理装置１８０（ホスト側）による画像処理装置１０１への印刷ジョブ投入時の処理（シーケンス）について図１１のフローチャートを用いて説明する。
【０１５７】
まず、ユーザが、情報処理装置１８０のアプリケーション１８１を使用して文書作成し、印刷依頼の操作を行ったものとする（Ｓ１５０１）。情報処理装置１８０のアプリケーション１８１は、例えば、テキスト文字の入力、編集機能を持ち、さらには画像データなどを文面内へ配置するＤＴＰ機能を持つ。ユーザはそれらの機能を使用して最終的に送信する文書を作成し、画像処理装置１０１に対してはネットワークや、ＵＳＢなどを介して印刷データを送付する操作を行うことになる。
【０１５８】
次に、アプリケーション１８１は、ＯＳ１８２にデバイスドライバを要求する（Ｓ１５０２）。ＯＳ１８２は、一般にデバイスドライバを登録・管理している。アプリケーション１８１は、どのデバイスドライバを使用すればよいかという知識は有していないので、ＯＳ１８２が管理するデバイスドライバの一覧を要求する。
【０１５９】
次に、ＯＳ１８２は、登録されているデバイスドライバをアプリケーション１８１へ回答する（Ｓ１５０３）。
【０１６０】
次に、アプリケーション１８１は、回答してもらったデバイスドライバの中からプリンタドライバ１８３を選択し、送信データおよび、付属するデータを渡す（Ｓ１５０４）。実際にプリンタドライバ１８３を選択するのはユーザである。ユーザは各デバイスドライバの用途を把握し、使い分ける必要がある。この実施形態で説明するプリンタドライバ１８３は、画像処理装置１０１が解釈し印刷することが可能なＰＤＬを使用して文書データを変換する役割に加え、印刷媒体にＵＶトナーで、印刷するタグ情報と印刷媒体の仕上げに関する指定する機能を担う。
【０１６１】
次に、プリンタドライバ１８３は、ＰＤＬを使用して文書データを変換した後、プロパティ情報追加部１８４を呼び出す（Ｓ１１０５）。
【０１６２】
プロパティ情報追加部１８４は、ＯＳ１８２を介しアプリケーションの持つプロパティ情報を読み出す（Ｓ１１０６）。読み出したプロパティ情報を印刷可能なＰＤＬ形式に変換してプリンタドライバ１８３に送付する。プロパティ情報の中でどの項目を画像処理装置１０１に送付するかはユーザに選択してもらうこともありうる。
【０１６３】
プリンタドライバ１８３は、アプリケーション１８１から受け取った本来印刷するべきデータと、プロパティ情報追加部１８４から受け取ったプロパティ情報（タグ情報を含む）をマージし、画像処理装置１０１へ送信する（Ｓ１１０７）。前記したように、画像処理装置１０１への通信は、ネットワークかＵＳＢを使用するようにしてもよい。
【０１６４】
（Ａ−３）第１の実施形態の効果
第１の実施形態によれば、以下のような効果を奏することができる。
【０１６５】
第１の実施形態では、ＵＶ色画像分解部１６９及びＵＶ色画像レイアウト部１７０により、タグ情報に基づく付加画像（プロパティ情報の画像）を分解して印刷用紙の複数の印刷面に分散して配置するので、印刷面の仕上がりを損なうことなく、可視光下では判読困難な付加情報を印刷することが可能となる。
【０１６６】
（Ｂ）第２の実施形態
以下、本発明による画像形成装置の第２の実施形態を、図面を参照しながら詳述する。この実施形態では、本発明の画像形成装置を複合機（画像処理装置）に適用する例について説明する。
【０１６７】
（Ｂ−１）第２の実施形態の構成
第２の実施形態の画像処理装置１０１Ａの全体構成も図２を用いて示すことができる。以下では、第２の実施形態について第１の実施形態との差異を中心に説明する。
【０１６８】
第２の実施形態の画像処理装置１０１Ａでは、ＰＤＬデータ解析部１５１及び印刷機能１１４が、ＰＤＬデータ解析部１５１Ａ及び印刷機能１１４Ａに置き換わっている点で第１の実施形態と異なっている。
【０１６９】
図１２は、第２の実施形態の印刷機能１１４Ａの機能的構成について示したブロック図である。図１２では、上述の図１と同一部分又は対応部分に同一又は対応する符号を付している。
【０１７０】
印刷機能１１４Ａでは、印刷イメージ生成部２１０が印刷イメージ生成部２１０Ａに置き換わっている点で第１の実施形態と異なっている。印刷イメージ生成部２１０Ａでは、裏写り調整部１７１及び印刷プレビュー作成部１７２が追加されている点で第１の実施形態と異なっている。
【０１７１】
第２の実施形態では、裏写り調整部１７１及び印刷プレビュー作成部１７２により、ＵＶトナーを用いて両面印刷した印刷用紙（印刷物）についてＵＶ光下での裏写りを制御（調整）可能となっている。
【０１７２】
印刷機能１１４Ａでは、ＰＤＬデータ解析部１５１Ａが、裏写り調整部１７１及び印刷プレビュー作成部１７２を用いて、中間コード格納部１６１に格納された中間コード群（印刷データ）に対する裏写り制御の処理を実行させる。
【０１７３】
次に、裏写り調整部１７１及び印刷プレビュー作成部１７２により行われる裏写り制御の概要について図１３を用いて説明する。
【０１７４】
印刷用紙に、ＵＶトナーで印刷した場合、その印刷物は基本的にＵＶ光下でしか内容を確認できないが、実際は光の反射により何が印字しているかを読み取れてしまう場合がある。よって、印刷物のセキュリティをさらに向上させるため、表面と裏面の両面で１つの画像を形成するようＵＶ印刷を行う。
【０１７５】
なお以下では、印刷用紙にＵＶ色のトナーで印刷することをＵＶ印刷と呼び、印刷用紙に通常色のトナーで印刷することを通常印刷と呼ぶものとする。
【０１７６】
図１３では、印刷用紙の表面と裏面の両面で１つの画像を形成するようＵＶ印刷した例を示している。図１３（ａ）はＵＶ光下で印刷物を表面から見た様子を示しており、「国」という文字が印刷されているように見える。図１３（ｂ）は表面にＵＶトナーで印字した領域であるＵＶ領域を示し、図１３（ｃ）は裏面に印字したＵＶ領域を示している。図１３の例では、裏面の領域（図１３（ｃ）のＵＶ領域）をわざと裏写りさせて表面から見えるようにし、両面で１つの画像を形成している。この実施形態では、ＵＶ光下ではなくてもＵＶ印刷の内容を読み取られる可能性を低下させ印刷物のセキュリティを向上させるために、あえて裏面のＵＶ領域を裏写りさせて印刷する場合がある。
【０１７７】
次に、裏写り調整部１７１の構成について説明する。
【０１７８】
裏写り調整部１７１は、ＰＤＬデータ解析部１５１の指示に応じて、中間コード格納部１６１に含まれる中間コード（画像データ）に対して、ＵＶ光下での裏写り調整を行う。裏写り調整部１７１は、裏写り調整を行う際、ＵＶ光下での印刷プレビューを操作パネル１０５に表示させるため、印刷プレビュー作成部１７２に画像データとＵＶ領域が裏写りしているかどうかを表すデータ（以下、「裏写りデータ」と呼ぶ）を出力する。裏写り調整部１７１は、裏写り調整処理（中間コード格納部１６１の中間コードに対する調整処理）や、裏写りデータの生成処理を行う。
【０１７９】
ＵＶ光下で裏写りするかどうかは、印刷に使用する媒体と両面に使用される現像材の量（濃度）によって決まる。
【０１８０】
図１５は、印刷用紙の裏面にＵＶ画像が印刷された場合の、ＵＶ画像とＣＭＹＫ画像の組み合わせについて示した説明図である。図１５は、印刷用紙の裏面にＵＶ画像が印刷された場合に、印刷用紙上にＵＶ色のトナー及び又は通常色（ＣＭＹＫ）のトナーが積層された状態について示した概略断面図となっている。以下では、ＵＶトナーの画像が印刷された領域をＵＶ領域と呼び、通常色（ＣＭＹＫ）のトナーの画像が印刷された領域をＣＭＹＫ領域と呼ぶものとする。
【０１８１】
図１５（ａ）は、印刷用紙の裏面にＵＶ領域のみ印刷した場合について示している。図１５（ｂ）は、裏面にＣＭＹＫ領域とＵＶ領域を重ねて印刷場合について示している。図１５（ｃ）は、表面にＣＭＹＫ領域が印刷され、裏側にＵＶ領域が印刷された場合について示している。図１５（ｄ）は表面にＣＭＹＫ領域が印刷され、裏側にＣＭＹＫ領域とＵＶ領域が重ねて印刷された場合について示している。裏写り調整部１７１は、画像処理装置１０１Ａが取り扱う印刷用紙毎（媒体毎）に、図１５に示すようなＣＭＹＫ領域とＵＶ領域の各組み合わせでＵＶ領域が裏写りするかどうかを判定するために使用できる裏写り判定データを予め作成して保持しているものとする。裏写り調整部１７１は、裏写り判定データを、判定データ記憶部１７１ａに保持しているものとする。なお、判定データ記憶部１７１ａを構成する具体的な記憶手段(データ記録媒体)や記憶位置については限定されないものである。
【０１８２】
裏写り調整部１７１は、例えば、印刷データ（中間コード格納部１６１に格納されている印刷コード）に含まれるトレイ情報から使用する印刷用紙の情報（以下、「媒体情報」）とも呼ぶ）を取得し、処理対象の印刷データに含まれる画像データと媒体情報と予め保存している裏写り判定データから裏写りするかどうかを判断できる。裏写り調整部１７１は、例えば、中間コード等の画像データに基づいてプレビュー画像を生成する種々のプレビュー画像生成手段を用いて、印刷用紙の両面に印刷される画像のＵＶ領域とＣＭＹＫ領域の分布を把握し、表面（第１の面）の画像と、裏面（第２の面）の画像（例えば、裏面の画像を鏡面反転させた画像）とを比較して、裏面のＵＶ領域のそれぞれについて裏写りするか否か判断するようにしてもよい。
【０１８３】
図１６は、裏写り判定データを用いてＵＶ光下でＵＶ領域が裏写りするかどうかを判定する例を示した説明図である。
【０１８４】
図１６（ａ）は、サンプルとしての印刷用紙（以下、「媒体Ｐ１」と呼ぶ）の裏写り判定データの例の一部を示しており、表面と裏面の画像データの濃度値の組み合わせに応じて裏写りするかどうかの情報が図示されている。裏写り調整部１７１は、裏面ＵＶ領域が有る場合、その裏面のＵＶ領域ごとに、裏写り判定データを用いて裏写りが発生するか否かを判定する。図１６（ｂ）、図１６（ｃ）は、それぞれ、媒体Ｐ１において、裏面にＵＶ領域がある場合の例について示している。図１６（ｂ）の例では、裏面のＵＶ領域の濃度が８０％、表面のＣＭＹＫ領域の濃度がＣ＝１０％、Ｍ＝Ｙ＝Ｋ＝０％となっている。図１６（ｃ）の例では、裏面のＵＶ領域の濃度が８０％、表面のＣＭＹＫ領域の濃度がＣ＝８０％、Ｍ＝Ｙ＝Ｋ＝０％となっている。
【０１８５】
図１６（ａ）に示す裏写り判定データの表は、表面の各色（ＣＭＹＫとＵＶ）のトナーの濃度（単位は％）と、裏面の各色（ＣＭＹＫとＵＶ）のトナーの濃度（単位は％）との組み合わせごとに裏写りするか裏写りしないかを示している。例えば、図１６（ａ）裏写り判定データでは、裏面のＵＶ領域の濃度を８０％とし、表面のＣＭＹＫ領域におけるＣの濃度を濃度が０％〜１００％に変化させた場合に、表面のＣＭＹＫ領域におけるＣの濃度ごとに裏写りが発生するか否かを示している。図１６（ａ）の例の場合、表面のＣＭＹＫ領域におけるＣの濃度が０％以上６０％未満の場合裏写りが発生し、表面のＣＭＹＫ領域におけるＣの濃度が６０％以上の場合裏写りが発生しないことを示している。図１６（ａ）では、説明を簡易とするため表面のＣＭＹＫ領域におけるＣの濃度のみを変化させる例について示しているが、裏写り判定データには各色のトナーの濃度の組み合わせごとに裏写りするか否かが登録されているものとする。印刷用紙（媒体）の厚さや材質によって、裏写りのし易さの特性が異なるため、裏写り調整部１７１では、媒体Ｐの種類ごとに図１６（ａ）に示すような裏写り判定データが必要となる。
【０１８６】
以上のように、裏写り調整部１７１は、印刷する領域ごと（例えば、画素ごと、又は所定の複数画素により構成されるブロックごと）に、裏写りするか否かを判定し、印刷する領域ごとの裏写りするか否かを記述したデータ（すなわち、裏写りする領域と裏写りしない領域を認識可能なデータ）を裏写りデータとして生成する。そして、裏写り調整部１７１は、裏写りデータに基づいて裏写りするＵＶ領域の有無を確認するようにしてもよい。裏写りデータとしては、例えば、裏写りする領域の値を「１」とし、裏写りしない領域の値を「０」としたデータとしてもよい。
【０１８７】
次に、印刷プレビュー作成部１７２の構成について説明する。
【０１８８】
印刷プレビュー作成部１７２は、ＰＤＬデータ解析部１５１から入力された画像データと裏写りデータを用いて、操作パネル１０５に表示させるためのプレビュー画像のデータ（以下、「プレビュー画像データ」とも呼ぶ）を作成して出力する。ＰＤＬデータ解析部１５１は、印刷プレビュー作成部１７２にプレビュー画像データを作成させ、機能管理部１１０等（ジョブ管理部１０９、パネル指示認識部１０７、及びパネル制御部１０６を含む）を介して、プレビュー画像を含む操作画面（以下、「印刷プレビュー画面」と呼ぶ）を操作パネル１０５に表示出力させるように制御する。そして、ＰＤＬデータ解析部１５１は、印刷プレビュー画面で、選択された領域の裏移り調整処理（濃度調整値の変更）を行うことができる。
【０１８９】
印刷プレビュー画面の構成データ（例えば、ＧＵＩを構成する各オブジェクトの定義データ）の格納位置については限定されないものであり、例えば、ＰＤＬデータ解析部１５１で保持するようにしてもよいし、パネル制御部１０６等であらかじめ保持するようにしてもよい。
【０１９０】
印刷プレビュー作成部１７２は、画像データと裏写り調整部１７１が作成した裏写りデータを用いてプレビュー画像データ作成する。プレビュー画像は、ＵＶ光下で見える印刷プレビューである必要があるため、印刷プレビュー作成部１７２は、ＵＶ領域についても表示されたプレビュー画像を作成する。印刷プレビュー作成部１７２は、所定の変換テーブルを用いて、ＣＭＹＫの画像データを操作パネル１０５で使用可能な色空間に変換して下地画像データを作成する。印刷プレビュー作成部１７２は、上述の変換テーブルを、変換テーブル記憶部１７２ａに保持しているものとする。なお、変換テーブル記憶部１７２ａを構成する具体的な記憶手段(データ記録媒体)や記憶位置については限定されないものである。
【０１９１】
さらに、印刷プレビュー作成部１７２は、ＵＶ領域の上に下地画像を重ねて表示し、領域ごとに、表面に印字したＵＶ領域なのか、裏面に印字した裏写りするＵＶ領域か、裏面に印字した裏写りしないＵＶ領域なのかがわかるよう色分け等（例えば、領域ごとにパターンを変更する等してもよい）をして表示する。印刷プレビュー作成部１７２が作成するプレビュー画像においては、裏面のＵＶ領域ごとに、そのＵＶ領域が裏写りするかどうかが重要なため、必ずしもＵＶ光下で見える正確な色を再現しなくても良い。以上のように、印刷プレビュー作成部１７２は、下地画像の上に色分け等して作成したＵＶ領域の画像を重ねた画像をプレビュー画像として作成する。
【０１９２】
図１７はプレビュー画像の例について示した説明図である。
【０１９３】
図１７では、例として、プレビュー画像Ｇ１００が図示されている。図１７には、下地画像Ｇ１０１の上に、表面のＵＶ領域Ａ２１、裏面のＵＶ領域が裏写りする領域Ａ２２、及び裏面のＵＶ領域が裏写りしない領域Ａ２３が、それぞれ認識可能な形式で色分け等された例について示している。図１７では、図示の都合上、各領域Ａ２１、Ａ２２、Ａ２３の色分けの仕方については省略しているが、実際には、各領域に、それぞれ異なる色や異なるパターン等の視覚効果が施されているものとする。
【０１９４】
以上のように、第２の実施形態では、ＰＤＬデータ解析部１５１Ａ及び中間コード判別部１５４が、印刷データ（画像形成データ）を保持する画像形成データ保持手段として機能する。また、第２の実施形態において、ＰＤＬデータ解析部１５１Ａ、裏写り調整部１７１及び印刷プレビュー作成部１７２が、プレビュー画像を作成するプレビュー画像作成手段として機能する。さらに、第２の実施形態では、ＰＤＬデータ解析部１５１Ａ、操作パネル１０５、パネル制御部１０６、及び機能管理部１１０等が、プレビュー画像上の一部の領域選択を受付ける領域選択手段として機能する。
【０１９５】
（Ｂ−２）第２の実施形態の動作
次に、以上のような構成を有する第２の実施形態の画像処理装置１０１Ａの動作を説明する。以下では、第２の実施形態の画像処理装置１０１Ａの動作について、第１の実施形態との差異部分のみを説明する。
【０１９６】
ＰＤＬデータ解析部１５１Ａは、中間コードの生成後（上述の図９のフローチャートの処理後）に、裏写り調整部１７１及び印刷プレビュー作成部１７２を用いて、図１４のフローチャートにより、ＵＶ印刷の裏移り調整を行う。
【０１９７】
まず、裏写り調整部１７１は、中間コード格納部１６１に格納されている印刷データ（中間コード）から、両面ＵＶ印刷となっているかどうかを確認する（Ｓ１０１）。裏写り調整部１７１は、両面ＵＶ印刷が含まれているはステップＳ１０２の処理に移り、そうでなければ処理を終了する。
【０１９８】
上述のステップＳ１０１で両面ＵＶ印刷が含まれている場合、裏写り調整部１７１は、印刷データに含まれる画像データ（中間コード格納部１６１の中間コード）において、裏面の画像データに存在するＵＶ領域を全て確認し、各ＵＶ領域の位置情報とＵＶ光下で裏写りするかどうかの情報で構成される裏写りデータを作成する。そして、裏写り調整部１７１は、作成した裏写りデータを用いて裏写りするＵＶ領域が存在するかどうかを確認し（Ｓ１０２）、存在する場合はステップＳ１０３の処理に移り、そうでなければ処理を終了する。なお、裏写り調整部１７１は、ＵＶ印刷時には毎回ステップＳ１０３の処理に移っても良い。
【０１９９】
なお、第２の実施形態において、印刷データ（ＰＤＬデータ解析部１５１Ａが処理する画像形成データ）に裏写りするＵＶ領域の有無を表す情報が含まれるようにしてもよい。このとき、印刷データ（ＰＤＬデータ解析部１５１Ａが処理する画像形成データ）に裏写りするＵＶ領域が有る旨の情報が含まれていた場合に、裏写り調整部１７１は、ステップＳ１０３の処理に移っても良い。
【０２００】
また、第２の実施形態において、印刷データ（ＰＤＬデータ解析部１５１Ａが処理する画像形成データ）に裏写りするＵＶ領域の位置情報（裏写りするＵＶ領域が画像データ中のどの位置に存在するかを示す情報）が含まれるようにしてもよい。このとき、印刷データ（ＰＤＬデータ解析部１５１Ａが処理する画像形成データ）に裏写りするＵＶ領域の位置情報が含まれており、裏写りデータと位置情報とで裏写りするＵＶ領域の位置が異なっている場合にステップＳ１０３の処理に移っても良い。
【０２０１】
上述のステップＳ１０２で、裏写りするＵＶ領域が存在すると判定された場合、ＰＤＬデータ解析部１５１Ａは、印刷プレビュー作成部１７２に、プレビュー画像データを生成させる。そして、ＰＤＬデータ解析部１５１Ａは、機能管理部１１０等を介して、操作パネル１０５に、プレビュー画像をユーザに確認させる印刷プレビュー画面を表示させ（Ｓ１０３）、印刷プレビュー画面に対するユーザの操作を受け付ける（Ｓ１０４）。
【０２０２】
図１８は、印刷プレビュー画面の構成例について示した説明図である。
【０２０３】
図１８に示す印刷プレビュー画面には、プレビュー画像Ｇ１００と、印刷を受け付けるための印刷ボタンＢ１１と、プレビュー画像Ｇ１００上の領域選択を受け付けるための領域選択ボタンＢ１２と、印刷のキャンセルを受け付けるためのキャンセルボタンＢ１３とが配置されている。図１８に示す印刷プレビュー画面において、印刷ボタンＢ１１が押下された場合、ＰＤＬデータ解析部１５１Ａは、裏写り調整処理を終了して次のステップ（上述の図９のフローチャートの処理）に移行して印刷処理を続行する。図１８に示す印刷プレビュー画面において、領域選択ボタンＢ１２が押下されると、ＰＤＬデータ解析部１５１Ａは、裏写りの状態変更を受け付けるために後述するステップＳ１０５に移行する。図１８に示す印刷プレビュー画面において、キャンセルボタンＢ１３が押下されると、ＰＤＬデータ解析部１５１Ａは、機能管理部１１０Ａ等に現在進行している印刷処理を終了するように要求し、印刷処理を終了させる。
【０２０４】
上述のステップＳ１０４で、領域選択ボタンＢ１２が押下された場合、ＰＤＬデータ解析部１５１Ａは、ユーザから印刷プレビュー画面のプレビュー画像Ｇ１００上で、裏写りの状態を変更する領域の選択（指定）を受け付ける（Ｓ１０５）。
【０２０５】
印刷プレビュー画面において、プレビュー画像Ｇ１００上のユーザから領域選択（指定）を受け付ける具体的な方法（ＧＵＩ操作方法）は限定されないものであり、例えば、ユーザのタッチパネルの押下位置により任意の位置に任意の大きさの矩形領域の選択入力を受け付けるようにしてもよい。例えば、ＰＤＬデータ解析部１５１Ａは、印刷プレビュー画面で領域選択ボタンＢ１２が押下された場合、プレビュー画像Ｇ１００上に、矩形領域（例えば、点線の矩形の線）を表示し、ユーザから当該矩形領域の移動変形を受け付けるようにしてもよい。また、ＰＤＬデータ解析部１５１Ａは、ユーザから選択された矩形領域内に、異なる種類のＵＶ領域が含まれた場合（例えば、選択された矩形領域内に領域Ａ２２と領域Ａ２３が混在する場合）は、ＵＶ領域の種類を設定（例えば、矩形領域内の領域Ａ２２又は領域Ａ２３のいずれかを設定）できるようにし、設定したＵＶ領域以外のＵＶ領域は除外（例えば、ユーザから選択された矩形領域から、当該矩形領域内のうち設定された領域を除外）するようにしても良い。すなわち、ＰＤＬデータ解析部１５１Ａは、例えば、ユーザに矩形領域内に裏写りするＵＶ領域と裏写りしないＵＶ領域が含まれている場合、裏写りするＵＶ領域のみを設定し、裏写りしないＵＶ領域を除外可能とするようにしてもよい。
【０２０６】
ステップＳ１０５の領域選択が完了すると、ＰＤＬデータ解析部１５１Ａは、ユーザから選択された領域の濃度調整値を受け付け、裏写り調整部１７１に選択された領域の濃度調整を実行させ（Ｓ１０６）、上述のステップＳ１０３の処理（印刷プレビュー画面の表示）に戻って動作する。このとき、裏写り調整部１７１は、選択された領域の画像データ（中間コード格納部１６１に格納された中間コード）に対して受付けた濃度調整値に基づく濃度調整処理を行う。
【０２０７】
次に、ＰＤＬデータ解析部１５１Ａが濃度調整値を受付けて、裏写り調整部１７１に濃度調整処理を実行させる処理の具体例について説明する。
【０２０８】
ＰＤＬデータ解析部１５１Ａは、機能管理部１１０等を介して、操作パネル１０５に、ユーザから選択された領域の濃度調整値を受け付けるための操作画面（以下、「濃度調整画面」と呼ぶ）を表示させ、濃度調整画面に対するユーザ操作を受け付ける。
【０２０９】
図１９は、濃度調整画面の構成例について示した説明図である。
【０２１０】
図１９に示す濃度調整画面では、表面のＵＶ色及びＣＭＹＫ色のそれぞれについての濃度調整値の入力を受け付けるための表面調整値入力フィールドＦ１１、裏面のＵＶ色及びＣＭＹＫ色のそれぞれについての濃度調整値の入力を受け付けるための裏面調整値入力フィールドＦ１２、入力された濃度調整値により調整後の裏写り状態（ユーザにより選択された領域の裏写り状態）について表示する状態表示フィールドＦ１３、濃度調整値の入力完了を受け付けるＯＫボタンＢ２１、濃度調整値の調整キャンセルを受け付けるキャンセルボタンＢ２２、入力された濃度調整値に基づいて状態表示フィールドＦ１３の表示変更を受け付けるための状態更新ボタンＢ２３が配置されている。
【０２１１】
濃度調整画面では、表面調整値入力フィールドＦ１１及び裏面調整値入力フィールドＦ１２で、表面と裏面のＣＭＹＫ色とＵＶ色のそれぞれについて濃度調整値の入力を受け付けることで、ユーザからＵＶ光下での裏写り調整の内容を受け付けることができる。表面調整値入力フィールドＦ１１及び裏面調整値入力フィールドＦ１２で、受け付ける濃度調整値は整数の値を設定することができ、濃度調整値が０の場合は変更無し、濃度調整値がプラスの場合は濃度値が上がるよう調整され、濃度調整値がマイナスの場合は濃度値が下がるよう調整される。濃度調整値の単位は、例えば％とするようにしてもよい。
【０２１２】
濃度調整画面で状態更新ボタンＢ２３が押下されると、ＰＤＬデータ解析部１５１Ａは、選択したＵＶ領域の位置情報と、両面（表面及び裏面）の各色の濃度調整値を裏写り調整部１７１に入力する。裏写り調整部１７１は、通知された濃度調整値から両面の各色で使用する濃度値変換テーブルを選択（変換テーブル記憶部１７２ａから取得）し、通知されたＵＶ領域の位置情報から両面の画像データ中で処理する領域を特定する。裏写り調整部１７１は両面の画像データ中の特定した領域に対して選択した濃度値変換テーブルを用いて濃度値の調整を行う。具体的には、裏写り調整部１７１は選択領域の両面の各色の濃度を調整した画像データ（以下、「確認画像データ」と呼ぶ）を作成する。そして、裏写り調整部１７１は、濃度値の調整を行った領域の確認画像データに対して、上述のステップＳ１０２と同様の処理で、ＵＶ光下で裏写りが発生するかどうかを確認し、裏写りするかどうかの情報をＰＤＬデータ解析部１５１Ａに返答する。ＰＤＬデータ解析部１５１Ａは、裏写り調整部１７１からの返答結果（「裏写りする」又は「裏写りしない」のいずれか）に基づいて、状態表示フィールドＦ１３の表示を更新する。
【０２１３】
濃度調整画面でＯＫボタンＢ２１が押下されると、ＰＤＬデータ解析部１５１Ａは、選択されたＵＶ領域の位置情報と両面の各色の濃度調整値を裏写り調整部１７１に通知する。そして、裏写り調整部１７１は、通知された位置情報と濃度調整値に基づいて、中間コード格納部１６１の画像データ（中間コード）に対する濃度調整処理を実行する。このとき、裏写り調整部１７１は通知された領域の位置情報から両面の画像データ中で処理する領域を特定し、通知された濃度調整値により使用する濃度値変換テーブルを選択して両面の各色について画像データ（中間コード格納部１６１の中間コード）の濃度値を調整する。裏写り調整部１７１が行う濃度調整処理の詳細については後述する。そして、ＰＤＬデータ解析部１５１Ａは、上述のステップＳ１０３の処理に戻って動作する。
【０２１４】
また、濃度調整画面でキャンセルボタンＢ２２が押下されると、ＰＤＬデータ解析部１５１Ａは、裏写り調整部１７１に濃度調整値がキャンセルする情報を通知し、画像データの調整は行わずに上述のステップＳ１０３の処理に戻って動作することになる。
【０２１５】
以上のように、ＰＤＬデータ解析部１５１Ａは、裏写り調整部１７１及び印刷プレビュー作成部１７２を用いて裏写り調整処理を行う。
【０２１６】
次に、上述のステップＳ１０６において裏写り調整部１７１が行う濃度調整処理の詳細について説明する。
【０２１７】
上述の通り、裏写り調整部１７１は、濃度調整には濃度値変換テーブルを使用する。
【０２１８】
濃度値変換テーブルはＣＭＹＫ、ＵＶの色毎に濃度調整値の数だけ存在しても良いし、全色同じテーブルを使用しても良い。また、表面と裏面で同じ濃度値変換テーブルを使用しても良いし、別々に用意しても良い。
【０２１９】
図２０は、濃度値変換テーブルを用いて濃度値を変換する例をグラフ形式で示した説明図である。
【０２２０】
図２０のグラフでは横軸が入力の濃度値、縦軸が出力の濃度値を表している。図２０のグラフでは、濃度調整値が０又はプラスの場合の濃度値変換テーブルを示している。図２０では、入力の濃度値が×１の場合、濃度調整値が０の濃度値変換テーブルでは出力は×１となり変化は無いが、濃度調整値がプラスの濃度値変換テーブルでは×１よりも大きい×２が出力となる。図２０では、濃度調整値がプラスの場合は濃度調整値が０のグラフよりも大きな出力値となるグラフとし、マイナスの場合は逆に濃度調整値が０のグラフより小さな出力値となるグラフとしている。また、図２０では、濃度調整値の絶対値が大きくなれば濃度調整値が０のグラフとの差は大きくなるものとしている。例えば、ユーザに選択されたＵＶ領域が図１５（ｄ）のような状態の場合、表面と裏面のＣＭＹＫの濃度調整値をマイナスに設定したりＵＶの濃度調整値をプラスに設定したりすると裏写りしやすくなり、上記と逆の設定を行うと裏写りし難くなる。裏写り調整部１７１は、設定された濃度調整値を保持し、次回印刷時に再利用するようにしてもよい。裏写り調整部１７１が濃度調整値を保持する記憶手段（データ記録媒体）や記憶領域の位置については限定されないものである。
【０２２１】
（Ｂ−３）第２の実施形態の効果
第２の実施形態によれば、以下のような効果を奏することができる。
【０２２２】
第２の実施形態の画像処理装置１０１Ａでは、画像処理装置１０１Ａ、裏写り調整部１７１、及び印刷プレビュー作成部１７２により、印刷プレビュー画面でユーザに裏写りの状態を確認させ、ユーザに選択された領域について表面と裏面の画像データの各色の濃度値を調整することで、ＵＶ光下でのＵＶ領域の裏写りを制御することができる。これにより、第２の実施形態の画像処理装置１０１Ａで印刷された印刷物のセキュリティを向上させることができる。
【０２２３】
（Ｃ）第３の実施形態
以下、本発明による画像形成装置の第３の実施形態を、図面を参照しながら詳述する。この実施形態では、本発明の画像形成装置を複合機（画像処理装置）に適用する例について説明する。
【０２２４】
（Ｃ−１）第３の実施形態の構成
第３の実施形態の画像処理装置１０１Ｂの全体構成も図１を用いて示すことができる。以下では、第３の実施形態について第２の実施形態との差異を中心に説明する。
【０２２５】
図２１は、第３の実施形態の印刷機能１１４Ｂの機能的構成について示したブロック図である。図２１では、上述の図１２と同一部分又は対応部分に同一又は対応する符号を付している。
【０２２６】
第３の実施形態の画像処理装置１０１Ｂでは、ＰＤＬデータ解析部１５１Ａ及び印刷機能１１４Ａが、ＰＤＬデータ解析部１５１Ｂ及び印刷機能１１４Ｂに置き換わっている点で第２の実施形態と異なっている。
【０２２７】
印刷機能１１４Ｂでは、印刷イメージ生成部２１０Ａが印刷イメージ生成部２１０Ｂに置き換わっている点で第２の実施形態と異なっている。印刷イメージ生成部２１０Ｂでは、裏写り調整部１７１Ａが裏写り調整部１７１Ｂに置き換わっている点で第２の実施形態と異なっている。
【０２２８】
第２の実施形態のＰＤＬデータ解析部１５１Ｂ及び裏写り調整部１７１Ｂは、裏写り調整処理に用いる濃度調整値の設定（上述のステップＳ１０６の処理）において、ユーザの入力（例えば、濃度調整画面）を省略し、自動的（自律的）に設定可能とする点で第２の実施形態と異なっている。
【０２２９】
裏写り調整部１７１は、裏写り調整処理に用いる濃度調整値の設定に際して、優先的に処理する色が定義されたデータ（以下、「優先順位データ」と呼ぶ）を記憶する優先順位データ記憶部１７１ｂを有している。なお、優先順位データ記憶部１７１ｂを構成する具体的な記憶手段(データ記録媒体)や記憶位置については限定されないものである。
【０２３０】
図２３は、優先順位データの構成例について示した説明図である。
【０２３１】
図２３に示す優先順位データの例では、優先従順位ごとに対応する面（表又は裏のいずれか）と色（ＵＶ、Ｃ、Ｍ、Ｙ、Ｋのいずれか）が設定されている。例えば、図２３では、優先順位「１」には、面の項目に「裏」、色の項目に「ＵＶ」が設定されているため、裏面のＵＶ色が最も優先順位の高い色と定義されていることがわかる。
【０２３２】
また、裏写り調整部１７１は、濃度調整値を調整する際に、色ごとに調整可能な範囲が定義されたデータ（以下、「制限データ」と呼ぶ）を記憶する制限データ記憶部１７１ｃを有している。なお、制限データ記憶部１７１ｃを構成する具体的な記憶手段(データ記録媒体)や記憶位置については限定されないものである。なお、裏写り調整部１７１Ｂにおいて、濃度調整値の設定可能な値の範囲は、面や色毎に設定しても良い。
【０２３３】
図２４は、裏写り調整部１７１Ｂの制限データ記憶部１７１ｃで記憶される制限データの例をテーブル形式で示した説明図である。
【０２３４】
図２４に示す制限データでは、色ごとに対応する最少濃度調整値と最大濃度調整値が設定されている。図２４に示す制限データでは、面（表又は裏のいずれか）と色（ＵＶ、Ｃ、Ｍ、Ｙ、Ｋのいずれか）の組み合わせごとに濃度調整値の範囲（最少濃度調整値と最大濃度調整値）が設定されている。例えば、図２４では、裏面のＵＶ色（面の項目が「裏」、色の項目が「ＵＶ」の組み合わせ）に対応する濃度調整値は−３〜＋３の範囲で設定可能であることがわかる。
【０２３５】
（Ｃ−２）第３の実施形態の動作
次に、以上のような構成を有する第３の実施形態の画像処理装置１０１Ｂの動作を説明する。以下では、第３の実施形態の画像処理装置１０１Ｂの動作について、第２の実施形態との差異部分のみを説明する。
【０２３６】
図２２は、裏写り調整部１７１Ｂが、ＰＤＬデータ解析部１５１Ｂの制御に応じて、自動的に濃度調整値の設定を行う処理の例について示したフローチャートである。
【０２３７】
まず、裏写り調整部１７１Ｂは、優先順位データ記憶部１７１ｂから未選択の色が存在するかどうかを確認する（Ｓ２０１）。裏写り調整部１７１Ｂは、未選択の色がある場合は後述するステップＳ２０２の処理に移行し、未選択の色が無い場合は、濃度調整値の設定処理を終了する。ステップＳ２０１で、未選択の色が無いと判定された場合、裏写り調整部１７１Ｂは、ＰＤＬデータ解析部１５１Ｂに、濃度調整値の自動設定できないとい旨を通知して処理を終了するようにしてもよい。そして、ＰＤＬデータ解析部１５１Ｂは、裏写り調整部１７１Ｂから濃度調整値の自動設定ができない旨の通知を受けた場合には、操作パネル１０５に自動設定ができないという情報を表示させ、自動設定処理を終了するようにしてもよいし、第２の実施形態と同様に濃度調整画面を用いたユーザ入力に移行するようにしてもよい。
【０２３８】
次に、裏写り調整部１７１Ｂは、優先順位データから優先順位が最も高い未選択の色を調整する色と設定する（Ｓ２０２）。
【０２３９】
次に、裏写り調整部１７１Ｂは、制限データに基づいて、ステップＳ２０２で設定した面の色の濃度調整値が更新可能かどうかを確認する（Ｓ２０２）。選択したＵＶ領域が裏写りしない場合、裏写り調整部１７１Ｂは、裏写りする方向に濃度調整値を変更するため、表面及び又は裏面について、通常色（ＣＭＹＫ）はマイナスに、ＵＶ色はプラスに濃度調整値を変更する。選択されたＵＶ領域が裏写りしている場合、裏写りしない方向に濃度調整値を変更するため、裏写り調整部１７１Ｂは、表面及び又は裏面について、通常色（ＣＭＹＫ）はプラスに、ＵＶ色はマイナスに濃度調整値を変更する。
【０２４０】
次に、裏写り調整部１７１Ｂは、制限データに基づいて濃度調整値が現在の設定値よりもプラス側、もしくはマイナス側に変更可能かどうかを確認し（Ｓ２０３）、変更可能な場合は後述するステップＳ２０４の処理に移り、変更できない場合は上述のステップＳ２０１の処理に戻って動作する。
【０２４１】
上述のステップＳ２０３で、制限データに基づいて濃度調整値が変更可能と判断された場合、裏写り調整部１７１Ｂは、ステップＳ２０２で設定した面の色の濃度調整値を更新する（Ｓ２０４）。このとき、各色の濃度は、選択されたＵＶ領域の裏写りの状態と色によってプラス側かマイナス側に更新される。裏写り調整部１７１Ｂは、設定した面の色の濃度調整値をプラス側に更新した場合は、当該濃度調整値を現在の設定値に＋１を加算した値に更新し、設定した面の色の濃度調整値をマイナス側に更新した場合は、当該濃度調整値を現在の設定値に−１を加算した値に更新する。このとき、裏写り調整部１７１Ｂが１度に変更する濃度調整値の量（グリッド幅）は、１％に限定されないものである。
【０２４２】
裏写り調整部１７１Ｂは、選択したＵＶ領域の裏写り状態が変化したかどうかを確認する処理（例えば、上述のステップＳ１０６で説明した濃度調整画面の状態更新ボタンＢ２３が押下された場合と同等の処理を）を行う（Ｓ２０５）。そして、裏写り調整部１７１Ｂは、裏写り状態が変化した場合は、両面の画像データの濃度値を調整する処理（例えば、上述のステップＳ１０６で説明した濃度調整画面のＯＫボタンＢ２１を押下した場合と同等の処理）を行い、濃度調整値の自動設定処理を終了する。また、裏写り調整部１７１Ｂは、裏写り状態が変化していない場合は、上述のステップＳ２０３の処理に戻って動作する。
【０２４３】
（Ｃ−３）第３の実施形態の効果
第３の実施形態によれば、以下のような効果を奏することができる。
【０２４４】
第３の実施形態のＰＤＬデータ解析部１５１Ｂ及び裏写り調整部１７１Ｂは、濃度調整画面を用いずに自動的に濃度調整値を設定することができる。これにより、第３の実施形態の画像処理装置１０１Ｂでは、裏写り調整にあたってユーザの操作負担を軽減することができる。
【０２４５】
（Ｄ）他の実施形態
本発明は、上記の各実施形態に限定されるものではなく、以下に例示するような変形実施形態も挙げることができる。
【０２４６】
（Ｄ−１）上記の各実施形態では、本発明の画像形成装置を複合機（ＭＦＰ）に適用する例について示したが、プリンタ、ＦＡＸ、コピー等の他の画像形成装置に適用するようにしてもよい。
【０２４７】
（Ｄ−２）上記の各実施形態の画像処理装置では、通常色としてシアン、イエロー、マゼンタ、ブラックに対応するものとして説明したが、通常色の数や組合せは限定されないものである。例えば、上記の実施形態の画像処理装置において、通常色をブラック１色としてもよい。
【０２４８】
（Ｄ−３）第２、第３の実施形態において、ＵＶ光下での裏写り調整内容により、印刷物のセキュリティをより向上させることが可能である。
【０２４９】
図２５のＵＶ印刷された印刷物の例は、上述の図１３の例からさらにセキュリティ性を向上させたものとなっている。
【０２５０】
図２５では、印刷用紙の表面と裏面の両面で１つの画像を形成するようＵＶ印刷した例を示している。図２５（ａ）はＵＶ光下で印刷物を表面から見た様子を示しており、「国」という文字が印刷されているように見える。図２５（ｂ）は表面にＵＶトナーで印字した領域であるＵＶ領域を示し、図２５（ｃ）は裏面に印字したＵＶ領域を示している。図２５の印刷物と図１２の印刷物は、ＵＶ光下ではどちらも「国」という文字を確認できるが、裏面のＵＶ印刷の内容が異なる。図２５（ｃ）では裏写りするＵＶ領域と裏写りしないＵＶ領域が混在している。図２５（ｃ）では外側の線は裏写りするＵＶ領域であり、内側の線は裏写りしないＵＶ領域であるため、図２５（ａ）のようにＵＶ光下で表から印刷物を見ると「国」という文字を確認することができる。ＵＶ光下ではなくても何が印字しているかを読み取れてしまう場合、図１２の例では表面と裏面のＵＶ領域を重ね合わせることで画像を読み取られてしまう可能性があるが、図２５の例のように不要な情報をあえて混在させることで、ＵＶ光下ではない状態での読み取りをさらに難しくすることができる。このように、第２、第３の実施形態において、図２５のようなＵＶ領域の裏写りを制御することで、印刷物のセキュリティを向上させることができる。
【０２５１】
（Ｄ−４）第２、第３の実施形態の画像形成装置は、第１の実施形態と同様に、ＵＶ色画像分解部１６９及びＵＶ色画像レイアウト部１７０を備える構成としているが、第２、第３の実施形態の画像形成装置においてＵＶ色画像分解部１６９及びＵＶ色画像レイアウト部１７０（ＵＶ色画像分解部１６９及びＵＶ色画像レイアウト部１７０に関連する処理構成を含む）を除外した構成としてもよい。
【符号の説明】
【０２５２】
１０１…画像処理装置、１０２…通信部、１０３…通信制御部、１０４…通信指示認識部、１０５…操作パネル、１０６…パネル制御部、１０７…パネル指示認識部、１０８…アカウント管理部、１０９…ジョブ管理部、１１０…機能管理部、１１１…スキャナ機能、１１２…ＦＡＸ機能、１１３…媒体アクセス機能、１１４…印刷機能、１１５…Ｅｍａｉｌ機能、１１６…レポート作成機能、１１８…権限管理部、１１９…設定値管理部、１２０…ログ管理部、１２１…記憶部、１５０…ＰＤＬデータ受信部、１５１…ＰＤＬデータ解析部、１５２…カラーマッチング処理、１５３…描画処理部、１５４…中間コード判別部、１５５…通常色図形描画部、１５６…通常色文字描画部、１５７…通常色イメージ描画部、１５８…ＵＶ色図形描画部、１５９…ＵＶ色文字描画部、１６０…ＵＶ色イメージ描画部、１６１…中間コード格納部、１６２…通常色用ＲＯＰ情報格納部、１６３…通常色用カラー情報格納部、１６４…ＵＶ色用ＲＯＰ情報格納部、
１６５…ＵＶ色用カラー情報格納部、１６６…通常色用印刷イメージ格納部、１６７…ＵＶ色用印刷イメージ格納部、１６８…印刷部、１６９…ＵＶ色画像分解部、１７０…ＵＶ色画像レイアウト部、２１０…印刷イメージ生成部、２２０…印刷イメージ生成用バッファ、１６９…ＵＶ色画像分解部、１７０…ＵＶ色画像レイアウト部、Ｎ…ネットワーク、１８０…情報処理装置、１８１…アプリケーション、１８２…ＯＳ、１８３…プリンタドライバ、１８４…プロパティ情報追加部、１８４ａ…記憶部。
【図１】
2017085490.tif 000003
【図２】
2017085490.tif 000004
【図３】
2017085490.tif 000005
【図４】
2017085490.tif 000006
【図５】
2017085490.tif 000007
【図６】
2017085490.tif 000008
【図７】
2017085490.tif 000009
【図８】
2017085490.tif 000010
【図９】
2017085490.tif 000011
【図１０】
2017085490.tif 000012
【図１１】
2017085490.tif 000013
【図１２】
2017085490.tif 000014
【図１３】
2017085490.tif 000015
【図１４】
2017085490.tif 000016
【図１５】
2017085490.tif 000017
【図１６】
2017085490.tif 000018
【図１７】
2017085490.tif 000019
【図１８】
2017085490.tif 000020
【図１９】
2017085490.tif 000021
【図２０】
2017085490.tif 000022
【図２１】
2017085490.tif 000023
【図２２】
2017085490.tif 000024
【図２３】
2017085490.tif 000025
【図２４】
2017085490.tif 000026
【図２５】
2017085490.tif 000027